(57)【要約】【課題】第１の売買注文の約定成立後に発注すべき第２の売買注文を注文者が入力する手間を減らすことができる金融商品売買発注装置を提供する。【解決手段】金融商品売買発注装置１０は、親注文内容情報と親発注順序情報を親注文ＩＤに対応付けて格納すると共に子注文内容情報と子発注順序情報を子注文ＩＤに対応付けて格納する注文格納手段１０２と、親注文の発注処理を行う発注手段１１０と、親注文の約定成立通知を受信する約定成立通知受信手段１２０と、親注文の約定成立通知に基づいて子注文の発注処理を行う関連発注手段１３０と、顧客が入力した親注文の注文内容情報と同じ注文内容情報の親注文ＩＤを検出し、検出した親注文ＩＤに対応する子注文内容情報を注文格納手段１０２から抽出し、子注文の注文内容情報の候補として顧客の端末装置２０の注文入力画面に表示する注文受付手段１８０とを有する。【選択図】図２
2008009965.tif 000002
【特許請求の範囲】
【請求項１】
金融商品の売買注文を発注する処理を行う金融商品売買発注装置において、
第１の売買注文の注文内容を示す第１の注文内容情報と当該第１の売買注文が約定したときに発注すべき第２の売買注文の注文内容を示す第２の注文内容情報と顧客を識別するための顧客識別情報を前記顧客の端末装置からインターネットを介して受け取る注文受付手段と、
前記注文受付手段が前記顧客の端末装置から受け取った前記第１の売買注文の注文内容を示す前記第１の注文内容情報を、前記第１の売買注文を識別するための第１の注文識別情報と前記第１の売買注文の発注順序を示す第１の順序情報と前記第１の売買注文が未発注の状況であることを示すフラグと前記顧客の顧客識別情報に対応付けて格納するとともに、前記注文受付手段が前記顧客の端末装置から受け取った前記第２の売買注文の注文内容を示す前記第２の注文内容情報を、前記第１の売買注文を識別するための第１の注文識別情報と前記第２の売買注文を識別するための第２の注文識別情報と前記第２の売買注文の発注順序を示す第２の順序情報であって前記第１の売買注文の発注順序に次ぐ順序を示す第２の順序情報と前記顧客の顧客識別情報に対応付けて格納する注文格納手段と、
前記第１の売買注文の発注順序を示す第１の順序情報と未発注の状況を示すフラグと前記顧客の顧客識別情報に対応付けて前記注文格納手段に格納された前記第１の注文識別情報及び第１の注文内容情報を含む注文入力電文を前記金融商品の取引所に送信することにより前記第１の売買注文の発注処理を行い、当該第１の注文識別情報に対応付けて前記注文格納手段に格納されている前記フラグを未発注の状況から発注済の状況を示すフラグに更新する発注手段と、
前記第１の注文識別情報及び第１の注文内容情報を含む前記注文入力電文が前記発注手段から送信されることにより発注処理が行われた前記第１の売買注文についての約定が成立したことを示す約定成立通知であって前記第１の注文識別情報を含む約定成立通知を前記取引所から受信する約定成立通知受信手段と、
前記約定成立通知受信手段が受信した約定成立通知に含まれる前記第１の注文識別情報に対して前記注文格納手段で対応付けされている前記第１の順序情報を検出し、当該第１の順序情報が示す発注順序に次ぐ順序を示す第２の順序情報と当該第１の注文識別情報に対応付けて前記注文格納手段に格納されている前記第２の注文識別情報及び第２の注文内容情報を含む注文入力電文を前記金融商品の取引所に送信することにより、前記第２の売買注文の発注処理を行う関連発注手段と
を有し、
前記注文受付手段は、
前記顧客の端末装置からの前記第１の売買注文の注文内容を示す第１の注文内容情報と前記顧客の顧客識別情報を受け取り、前記注文格納手段に格納されている第１の注文識別情報のうち当該受け取った第１の注文内容情報と第１の順序情報と前記顧客の顧客識別情報に対して前記注文格納手段で対応付けされている第１の注文識別情報を検出し、検出した当該第１の注文識別情報と第２の順序情報に対応付けて前記注文格納手段に格納されている第２の注文内容情報を前記注文格納手段から取得する検出手段と、
前記第１の売買注文が約定したときに発注すべき第２の売買注文の注文内容を示す第２の注文内容情報を入力するための欄を有する注文入力用ウェブページであって前記検出手段が取得した前記第２の注文内容情報が前記欄に入力された注文入力用ウェブページを前記顧客の端末装置に表示し、当該注文入力用ウェブページの前記欄に入力された入力情報を送信するための操作を前記顧客が行うことにより前記顧客の端末装置から送信された前記第２の注文内容情報を前記顧客の顧客識別情報とともに受け取る受取手段と
を有する
ことを特徴とする金融商品売買発注装置。
【請求項２】
前記第１の売買注文の注文内容を示す前記第１の注文内容情報には、当該第１の売買注文の注文銘柄である前記金融商品の銘柄及び当該第１の売買注文の売買区分を示す情報が含まれており、
前記検出手段は、第１の売買注文の注文内容を示す第１の注文内容情報と前記顧客の顧客識別情報を前記顧客の端末装置から受け取り、前記注文格納手段に格納されている第１の注文識別情報のうち当該受け取った第１の注文内容情報の銘柄及び売買区分と同一の銘柄及び売買区分を含む注文内容情報と第１の順序情報と前記顧客の顧客識別情報に対して前記注文格納手段で対応付けされている第１の注文識別情報を検出し、検出した当該第１の注文識別情報と第２の順序情報に対応付けて前記注文格納手段に格納されている第２の注文内容情報を前記注文格納手段から取得する
ことを特徴とする請求項１記載の金融商品売買発注装置。
【請求項３】
前記取引所において上場廃止となった銘柄である上場廃止銘柄を示す情報を格納する上場廃止銘柄格納手段をさらに有し、
前記第１の売買注文の注文内容を示す前記第１の注文内容情報には、当該第１の売買注文の注文銘柄である前記金融商品の銘柄及び当該第１の売買注文の売買区分を示す情報が含まれており、
前記第２の売買注文の注文内容を示す前記第２の注文内容情報には、当該第２の売買注文の注文銘柄である前記金融商品の銘柄及び当該第２の売買注文の売買区分を示す情報が含まれており、
前記検出手段は、前記顧客の端末装置からの前記第１の売買注文の注文内容を示す第１の注文内容情報と前記顧客の顧客識別情報を受け取り、前記注文格納手段に格納されている第１の注文識別情報のうち当該受け取った第１の注文内容情報と第１の順序情報と前記顧客の顧客識別情報に対して前記注文格納手段で対応付けされている第１の注文識別情報を検出し、検出した当該第１の注文識別情報と第２の順序情報に対応付けて前記注文格納手段に格納されている第２の注文内容情報を前記注文格納手段から取得して記憶手段に記憶し、当該記憶手段に記憶した前記第２の注文内容情報のうち前記上場廃止銘柄格納手段に格納されている上場廃止銘柄に一致しない銘柄を注文銘柄とする第２の注文内容情報を検出し、
前記受取手段は、前記第１の売買注文が約定したときに発注すべき第２の売買注文の注文内容を示す第２の注文内容情報を入力するための欄を有する注文入力用ウェブページであって前記検出手段が検出した前記第２の注文内容情報が前記欄に入力された注文入力用ウェブページを前記顧客の端末装置に表示し、当該注文入力用ウェブページの前記欄に入力された入力情報を送信するための操作を前記顧客が行うことにより前記顧客の端末装置から送信された前記第２の注文内容情報を前記顧客の顧客識別情報とともに受け取る
ことを特徴とする請求項２記載の金融商品売買発注装置。
【請求項４】
前記取引所において上場廃止となった銘柄である上場廃止銘柄を示す情報を格納する上場廃止銘柄格納手段をさらに有し、
前記第１の売買注文の注文内容を示す前記第１の注文内容情報には、当該第１の売買注文の注文銘柄である前記金融商品の銘柄を示す情報が含まれており、
前記第２の売買注文の注文内容を示す前記第２の注文内容情報には、当該第２の売買注文の注文銘柄である前記金融商品の銘柄を示す情報が含まれており、
前記検出手段は、前記顧客の端末装置からの前記第１の売買注文の注文内容を示す第１の注文内容情報と前記顧客の顧客識別情報を受け取り、前記注文格納手段に格納されている第１の注文識別情報のうち当該受け取った第１の注文内容情報と第１の順序情報と前記顧客の顧客識別情報に対して前記注文格納手段で対応付けされている第１の注文識別情報を検出し、検出した当該第１の注文識別情報と第２の順序情報に対応付けて前記注文格納手段に格納されている第２の注文内容情報を前記注文格納手段から取得して記憶手段に記憶し、当該記憶手段に記憶した前記第２の注文内容情報のうち前記上場廃止銘柄格納手段に格納されている上場廃止銘柄に一致しない銘柄を注文銘柄とする第２の注文内容情報を検出し、
前記受取手段は、前記第１の売買注文が約定したときに発注すべき第２の売買注文の注文内容を示す第２の注文内容情報を入力するための欄を有する注文入力用ウェブページであって前記検出手段が検出した前記第２の注文内容情報が前記欄に入力された注文入力用ウェブページを前記顧客の端末装置に表示し、当該注文入力用ウェブページの前記欄に入力された入力情報を送信するための操作を前記顧客が行うことにより前記顧客の端末装置から送信された前記第２の注文内容情報を前記顧客の顧客識別情報とともに受け取る
ことを特徴とする請求項１記載の金融商品売買発注装置。
【請求項５】
前記金融商品は株式であるとともに、前記取引所は証券取引所であり、
前記第１の売買注文の注文内容を示す前記第１の注文内容情報には、当該第１の売買注文の注文銘柄及び売買区分を示す情報が含まれており、
前記第２の売買注文の注文内容を示す前記第２の注文内容情報には、当該第２の売買注文の注文銘柄及び売買区分を示す情報が含まれており、
前記受取手段は、前記第１の売買注文が約定したときに発注すべき第２の売買注文の注文内容を示す第２の注文内容情報を入力するための欄を有する注文入力用ウェブページであって前記検出手段が取得した第２の注文内容情報の注文銘柄及び売買区分を示す情報が前記欄に入力された注文入力用ウェブページを前記顧客の端末装置に表示する
ことを特徴とする請求項２記載の金融商品売買発注装置。
【請求項６】
前記検出手段は、前記顧客の端末装置からの前記第１の売買注文の注文内容を示す第１の注文内容情報と前記顧客の顧客識別情報を受け取ると、前記第１の売買注文を識別するための第１の注文識別情報である第１の注文識別番号を採番し、前記第１の売買注文の注文内容を示す前記第１の注文内容情報を、前記第１の売買注文を識別するための第１の注文識別情報と前記第１の売買注文の発注順序を示す第１の順序情報と前記第１の売買注文が未発注の状況であることを示すフラグと前記顧客の顧客識別情報に対応付けて前記注文格納手段に格納し、
前記受取手段は、前記第１の売買注文が約定したときに発注すべき第２の売買注文の注文内容を示す第２の注文内容情報を入力するための欄を有する注文入力用ウェブページであって前記検出手段が取得した前記第２の注文内容情報が前記欄に入力された注文入力用ウェブページと前記第１の注文識別情報を前記顧客の端末装置に送信して前記注文入力用ウェブページを前記顧客の端末装置に表示させ、当該注文入力用ウェブページの前記欄に入力された入力情報を送信するための操作を前記顧客が行うことにより前記顧客の端末装置から送信された前記第２の注文内容情報を前記第１の注文識別情報及び前記顧客の顧客識別情報とともに受け取り、前記第２の売買注文を識別するための第２の注文識別情報である第２の注文識別番号を採番し、前記顧客の端末装置から受け取った前記第２の売買注文の注文内容を示す前記第２の注文内容情報を、前記第１の売買注文を識別するための第１の注文識別情報と前記第２の売買注文を識別するための第２の注文識別情報と前記第２の売買注文の発注順序を示す第２の順序情報と前記顧客の顧客識別情報に対応付けて前記注文格納手段に格納する
ことを特徴とする請求項１〜５の何れかに記載の金融商品売買発注装置。
【請求項７】
金融商品の売買注文を発注する処理を行う金融商品売買発注装置において、
第１の売買注文の注文内容を示す第１の注文内容情報と当該第１の売買注文が約定したときに発注すべき第２の売買注文の注文内容を示す第２の注文内容情報と顧客を識別するための顧客識別情報を前記顧客の端末装置からインターネットを介して受け取る注文受付手段と、
前記注文受付手段が前記顧客の端末装置から受け取った前記第１の売買注文の注文内容を示す前記第１の注文内容情報を、前記第１の売買注文を識別するための第１の注文識別情報と前記第１の売買注文の発注順序を示す第１の順序情報と前記第１の売買注文が未発注の状況であることを示すフラグと前記顧客の顧客識別情報に対応付けて格納するとともに、前記注文受付手段が前記顧客の端末装置から受け取った前記第２の売買注文の注文内容を示す前記第２の注文内容情報を、前記第１の売買注文を識別するための第１の注文識別情報と前記第２の売買注文を識別するための第２の注文識別情報と前記第２の売買注文の発注順序を示す第２の順序情報であって前記第１の売買注文の発注順序に次ぐ順序を示す第２の順序情報と前記顧客の顧客識別情報に対応付けて格納する注文格納手段と、
前記第１の売買注文の発注順序を示す第１の順序情報と未発注の状況を示すフラグと前記顧客の顧客識別情報に対応付けて前記注文格納手段に格納された前記第１の注文識別情報及び第１の注文内容情報を含む注文入力電文を前記金融商品の取引所に送信することにより前記第１の売買注文の発注処理を行い、当該第１の注文識別情報に対応付けて前記注文格納手段に格納されている前記フラグを未発注の状況から発注済の状況を示すフラグに更新する発注手段と、
前記第１の注文識別情報及び第１の注文内容情報を含む前記注文入力電文が前記発注手段から送信されることにより発注処理が行われた前記第１の売買注文についての約定が成立したことを示す約定成立通知であって前記第１の注文識別情報を含む約定成立通知を前記取引所から受信する約定成立通知受信手段と、
前記約定成立通知受信手段が受信した約定成立通知に含まれる前記第１の注文識別情報に対して前記注文格納手段で対応付けされている前記第１の順序情報を検出し、当該第１の順序情報が示す発注順序に次ぐ順序を示す第２の順序情報と当該第１の注文識別情報に対応付けて前記注文格納手段に格納されている前記第２の注文識別情報及び第２の注文内容情報を含む注文入力電文を前記金融商品の取引所に送信することにより、前記第２の売買注文の発注処理を行う関連発注手段と
を有し、
前記注文受付手段は、
前記顧客の端末装置からの前記第１の売買注文の注文内容を示す第１の注文内容情報と前記顧客の顧客識別情報を受け取り、売買注文の注文内容を示す注文内容情報と前記顧客の顧客識別情報に対して前記注文格納手段で対応付けされている当該売買注文を識別するための注文識別情報のうち当該受け取った第１の注文内容情報と前記顧客の顧客識別情報に対して前記注文格納手段で対応付けされている注文識別情報を検索し、検索した当該注文識別情報に対して前記注文格納手段で対応付けされている順序情報を検出して当該順序情報が示す発注順序に次ぐ順序を示す順序情報と当該注文識別情報に対応付けて前記注文格納手段に格納されている注文内容情報を前記注文格納手段から取得する検出手段と、
前記第１の売買注文が約定したときに発注すべき第２の売買注文の注文内容を示す第２の注文内容情報を入力するための欄を有する注文入力用ウェブページであって前記検出手段が取得した注文内容情報が前記欄に入力された注文入力用ウェブページを前記顧客の端末装置に表示し、当該注文入力用ウェブページの前記欄に入力された入力情報を送信するための操作を前記顧客が行うことにより前記顧客の端末装置から送信された前記第２の注文内容情報を前記顧客の顧客識別情報とともに受け取る受取手段と
を有する
ことを特徴とする金融商品売買発注装置。
【請求項８】
前記売買注文の注文内容を示す注文内容情報は、当該売買注文の注文銘柄である前記金融商品の銘柄及び当該売買注文の売買区分を示す情報を含み、
前記検出手段は、前記顧客の端末装置からの前記第１の売買注文の注文内容を示す第１の注文内容情報と前記顧客の顧客識別情報を受け取り、売買注文の注文内容を示す注文内容情報と前記顧客の顧客識別情報に対して前記注文格納手段で対応付けされている当該売買注文を識別するための注文識別情報のうち当該受け取った第１の注文内容情報の銘柄及び売買区分と同一の銘柄及び売買区分を含む注文内容情報と前記顧客の顧客識別情報に対して前記注文格納手段で対応付けされている注文識別情報を検索し、検索した当該注文識別情報に対して前記注文格納手段で対応付けされている順序情報を検出して当該順序情報が示す発注順序に次ぐ順序を示す順序情報と当該注文識別情報に対応付けて前記注文格納手段に格納されている注文内容情報を前記注文格納手段から取得する
ことを特徴とする請求項７記載の金融商品売買発注装置。
【請求項９】
前記取引所において上場廃止となった銘柄である上場廃止銘柄を示す情報を格納する上場廃止銘柄格納手段をさらに有し、
前記検出手段は、前記顧客の端末装置からの前記第１の売買注文の注文内容を示す第１の注文内容情報と前記顧客の顧客識別情報を受け取り、売買注文の注文内容を示す注文内容情報と前記顧客の顧客識別情報に対して前記注文格納手段で対応付けされている当該売買注文を識別するための注文識別情報のうち当該受け取った第１の注文内容情報の銘柄及び売買区分と同一の銘柄及び売買区分を含む注文内容情報と前記顧客の顧客識別情報に対して前記注文格納手段で対応付けされている注文識別情報を検索し、検索した当該注文識別情報に対して前記注文格納手段で対応付けされている順序情報を検出して当該順序情報が示す発注順序に次ぐ順序を示す順序情報と当該注文識別情報に対応付けて前記注文格納手段に格納されている注文内容情報を前記注文格納手段から取得して記憶手段に記憶し、当該記憶手段に記憶した前記注文内容情報のうち前記上場廃止銘柄格納手段に格納されている上場廃止銘柄に一致しない銘柄を注文銘柄とする注文内容情報を検出し、
前記受取手段は、前記第１の売買注文が約定したときに発注すべき第２の売買注文の注文内容を示す第２の注文内容情報を入力するための欄を有する注文入力用ウェブページであって前記検出手段が検出した注文内容情報が前記欄に入力された注文入力用ウェブページを前記顧客の端末装置に表示し、当該注文入力用ウェブページの前記欄に入力された入力情報を送信するための操作を前記顧客が行うことにより前記顧客の端末装置から送信された前記第２の注文内容情報を前記顧客の顧客識別情報とともに受け取る
ことを特徴とする請求項８記載の金融商品売買発注装置。
【請求項１０】
前記取引所において上場廃止となった銘柄である上場廃止銘柄を示す情報を格納する上場廃止銘柄格納手段をさらに有し、
前記売買注文の注文内容を示す注文内容情報は、当該売買注文の注文銘柄である前記金融商品の銘柄を示す情報を含み、
前記検出手段は、前記顧客の端末装置からの前記第１の売買注文の注文内容を示す第１の注文内容情報と前記顧客の顧客識別情報を受け取り、売買注文の注文内容を示す注文内容情報と前記顧客の顧客識別情報に対して前記注文格納手段で対応付けされている当該売買注文を識別するための注文識別情報のうち当該受け取った第１の注文内容情報と前記顧客の顧客識別情報に対して前記注文格納手段で対応付けされている注文識別情報を検索し、検索した当該注文識別情報に対して前記注文格納手段で対応付けされている順序情報を検出して当該順序情報が示す発注順序に次ぐ順序を示す順序情報と当該注文識別情報に対応付けて前記注文格納手段に格納されている注文内容情報を前記注文格納手段から取得して記憶手段に記憶し、当該記憶手段に記憶した前記注文内容情報のうち前記上場廃止銘柄格納手段に格納されている上場廃止銘柄に一致しない銘柄を注文銘柄とする注文内容情報を検出し、
前記受取手段は、前記第１の売買注文が約定したときに発注すべき第２の売買注文の注文内容を示す第２の注文内容情報を入力するための欄を有する注文入力用ウェブページであって前記検出手段が検出した注文内容情報が前記欄に入力された注文入力用ウェブページを前記顧客の端末装置に表示し、当該注文入力用ウェブページの前記欄に入力された入力情報を送信するための操作を前記顧客が行うことにより前記顧客の端末装置から送信された前記第２の注文内容情報を前記顧客の顧客識別情報とともに受け取る
ことを特徴とする請求項７記載の金融商品売買発注装置。
【請求項１１】
前記金融商品は株式であるとともに、前記取引所は証券取引所であり、
前記売買注文の注文内容を示す注文内容情報は、当該売買注文の注文銘柄及び売買区分を示す情報を含み、
前記受取手段は、前記第１の売買注文が約定したときに発注すべき第２の売買注文の注文内容を示す第２の注文内容情報を入力するための欄を有する注文入力用ウェブページであって前記検出手段が取得した注文内容情報の注文銘柄及び売買区分を示す情報が前記欄に入力された注文入力用ウェブページを前記顧客の端末装置に表示する
ことを特徴とする請求項８記載の金融商品売買発注装置。
【請求項１２】
前記検出手段は、前記顧客の端末装置からの前記第１の売買注文の注文内容を示す第１の注文内容情報と前記顧客の顧客識別情報を受け取ると、前記第１の売買注文を識別するための第１の注文識別情報である第１の注文識別番号を採番し、前記第１の売買注文の注文内容を示す前記第１の注文内容情報を、前記第１の売買注文を識別するための第１の注文識別情報と前記第１の売買注文の発注順序を示す第１の順序情報と前記第１の売買注文が未発注の状況であることを示すフラグと前記顧客の顧客識別情報に対応付けて前記注文格納手段に格納し、
前記受取手段は、前記第１の売買注文が約定したときに発注すべき第２の売買注文の注文内容を示す第２の注文内容情報を入力するための欄を有する注文入力用ウェブページであって前記検出手段が取得した注文内容情報が前記欄に入力された注文入力用ウェブページと前記第１の注文識別情報を前記顧客の端末装置に送信して前記注文入力用ウェブページを前記顧客の端末装置に表示させ、当該注文入力用ウェブページの前記欄に入力された入力情報を送信するための操作を前記顧客が行うことにより前記顧客の端末装置から送信された前記第２の注文内容情報を前記第１の注文識別情報及び前記顧客の顧客識別情報とともに受け取り、前記第２の売買注文を識別するための第２の注文識別情報である第２の注文識別番号を採番し、前記顧客の端末装置から受け取った前記第２の売買注文の注文内容を示す前記第２の注文内容情報を、前記第１の売買注文を識別するための第１の注文識別情報と前記第２の売買注文を識別するための第２の注文識別情報と前記第２の売買注文の発注順序を示す第２の順序情報と前記顧客の顧客識別情報に対応付けて前記注文格納手段に格納する
ことを特徴とする請求項７〜１１の何れかに記載の金融商品売買発注装置。
【請求項１３】
コンピュータを、請求項１〜１２の何れかに記載の金融商品売買発注装置として機能させるためのプログラム。
【発明の詳細な説明】
【技術分野】
【０００１】
本発明は、顧客からの金融商品の売買注文を発注する処理を行う金融商品売買発注装置及びプログラムに関する。
【背景技術】
【０００２】
第１の売買注文の約定が成立したときに、第１の売買注文の次に発注すべきものとして予め決められていた第２の売買注文の発注処理を行う金融商品売買発注装置が知られている（特許文献１参照）。
【特許文献１】特許第３５７２０１４号公報
【発明の開示】
【発明が解決しようとする課題】
【０００３】
第１の売買注文の約定成立後に第２の売買注文を発注する処理を行う金融商品売買発注装置を利用する場合に、第１及び第２の売買注文の各注文内容をそれぞれ手入力するのは注文者にとって手間がかかる。本発明は上記観点に鑑みてなされたものであり、その目的は、第１の売買注文の約定成立後に発注すべき第２の売買注文を注文者が入力する手間を軽減できるようにすることにある。
【課題を解決するための手段】
【０００４】
上記課題を解決するために、本発明の第１の形態では、金融商品の売買注文を発注する処理を行う金融商品売買発注装置において、第１の売買注文の注文内容を示す第１の注文内容情報と当該第１の売買注文が約定したときに発注すべき第２の売買注文の注文内容を示す第２の注文内容情報と顧客を識別するための顧客識別情報を前記顧客の端末装置からインターネットを介して受け取る注文受付手段と、前記注文受付手段が前記顧客の端末装置から受け取った前記第１の売買注文の注文内容を示す前記第１の注文内容情報を、前記第１の売買注文を識別するための第１の注文識別情報と前記第１の売買注文の発注順序を示す第１の順序情報と前記第１の売買注文が「未発注」の状況であることを示すフラグと前記顧客の顧客識別情報に対応付けて格納するとともに、前記注文受付手段が前記顧客の端末装置から受け取った前記第２の売買注文の注文内容を示す前記第２の注文内容情報を、前記第１の売買注文を識別するための第１の注文識別情報と前記第２の売買注文を識別するための第２の注文識別情報と前記第２の売買注文の発注順序を示す第２の順序情報であって前記第１の売買注文の発注順序に次ぐ順序を示す第２の順序情報と前記顧客の顧客識別情報に対応付けて格納する注文格納手段と、前記第１の売買注文の発注順序を示す第１の順序情報と「未発注」の状況を示すフラグと前記顧客の顧客識別情報に対応付けて前記注文格納手段に格納された前記第１の注文識別情報及び第１の注文内容情報を含む注文入力電文を前記金融商品の取引所に送信することにより前記第１の売買注文の発注処理を行い、当該第１の注文識別情報に対応付けて前記注文格納手段に格納されている前記フラグを「未発注」の状況から「発注済」の状況を示すフラグに更新する発注手段と、前記第１の注文識別情報及び第１の注文内容情報を含む前記注文入力電文が前記発注手段から送信されることにより発注処理が行われた前記第１の売買注文についての約定が成立したことを示す約定成立通知であって前記第１の注文識別情報を含む約定成立通知を前記取引所から受信する約定成立通知受信手段と、前記約定成立通知受信手段が受信した約定成立通知に含まれる前記第１の注文識別情報に対して前記注文格納手段で対応付けされている前記第１の順序情報を検出し、当該第１の順序情報が示す発注順序に次ぐ順序を示す第２の順序情報と当該第１の注文識別情報に対応付けて前記注文格納手段に格納されている前記第２の注文識別情報及び第２の注文内容情報を含む注文入力電文を前記金融商品の取引所に送信することにより、前記第２の売買注文の発注処理を行う関連発注手段とを有し、
前記注文受付手段は、前記顧客の端末装置からの前記第１の売買注文の注文内容を示す第１の注文内容情報と前記顧客の顧客識別情報を受け取り、前記注文格納手段に格納されている第１の注文識別情報のうち当該受け取った第１の注文内容情報と第１の順序情報と前記顧客の顧客識別情報に対して前記注文格納手段で対応付けされている第１の注文識別情報を検出し、検出した当該第１の注文識別情報と第２の順序情報に対応付けて前記注文格納手段に格納されている第２の注文内容情報を前記注文格納手段から取得する検出手段と、前記第１の売買注文が約定したときに発注すべき第２の売買注文の注文内容を示す第２の注文内容情報を入力するための欄を有する注文入力用ウェブページであって前記検出手段が取得した前記第２の注文内容情報が前記欄に入力された注文入力用ウェブページを前記顧客の端末装置に表示し、当該注文入力用ウェブページの前記欄に入力された入力情報を送信するための操作を前記顧客が行うことにより前記顧客の端末装置から送信された前記第２の注文内容情報を前記顧客の顧客識別情報とともに受け取る受取手段とを有することを特徴とする。
【０００５】
本発明の第１の形態の金融商品売買発注装置において、前記第１の売買注文の注文内容を示す前記第１の注文内容情報には、当該第１の売買注文の注文銘柄である前記金融商品の銘柄及び当該第１の売買注文の売買区分を示す情報が含まれており、前記検出手段は、第１の売買注文の注文内容を示す第１の注文内容情報と前記顧客の顧客識別情報を前記顧客の端末装置から受け取り、前記注文格納手段に格納されている第１の注文識別情報のうち当該受け取った第１の注文内容情報の銘柄及び売買区分と同一の銘柄及び売買区分を含む注文内容情報と第１の順序情報と前記顧客の顧客識別情報に対して前記注文格納手段で対応付けされている第１の注文識別情報を検出し、検出した当該第１の注文識別情報と第２の順序情報に対応付けて前記注文格納手段に格納されている第２の注文内容情報を前記注文格納手段から取得する構成としてもよい。
また、前記取引所において上場廃止となった銘柄である上場廃止銘柄を示す情報を格納する上場廃止銘柄格納手段をさらに有し、前記第１の売買注文の注文内容を示す前記第１の注文内容情報には、当該第１の売買注文の注文銘柄である前記金融商品の銘柄及び当該第１の売買注文の売買区分を示す情報が含まれており、前記第２の売買注文の注文内容を示す前記第２の注文内容情報には、当該第２の売買注文の注文銘柄である前記金融商品の銘柄及び当該第２の売買注文の売買区分を示す情報が含まれており、前記検出手段は、前記顧客の端末装置からの前記第１の売買注文の注文内容を示す第１の注文内容情報と前記顧客の顧客識別情報を受け取り、前記注文格納手段に格納されている第１の注文識別情報のうち当該受け取った第１の注文内容情報と第１の順序情報と前記顧客の顧客識別情報に対して前記注文格納手段で対応付けされている第１の注文識別情報を検出し、検出した当該第１の注文識別情報と第２の順序情報に対応付けて前記注文格納手段に格納されている第２の注文内容情報を前記注文格納手段から取得して記憶手段に記憶し、当該記憶手段に記憶した前記第２の注文内容情報のうち前記上場廃止銘柄格納手段に格納されている上場廃止銘柄に一致しない銘柄を注文銘柄とする第２の注文内容情報を検出し、前記受取手段は、前記第１の売買注文が約定したときに発注すべき第２の売買注文の注文内容を示す第２の注文内容情報を入力するための欄を有する注文入力用ウェブページであって前記検出手段が検出した前記第２の注文内容情報が前記欄に入力された注文入力用ウェブページを前記顧客の端末装置に表示し、当該注文入力用ウェブページの前記欄に入力された入力情報を送信するための操作を前記顧客が行うことにより前記顧客の端末装置から送信された前記第２の注文内容情報を前記顧客の顧客識別情報とともに受け取る構成としてもよい。
【０００６】
本発明の第１の形態の金融商品売買発注装置では、前記取引所において上場廃止となった銘柄である上場廃止銘柄を示す情報を格納する上場廃止銘柄格納手段をさらに有し、前記第１の売買注文の注文内容を示す前記第１の注文内容情報には、当該第１の売買注文の注文銘柄である前記金融商品の銘柄を示す情報が含まれており、前記第２の売買注文の注文内容を示す前記第２の注文内容情報には、当該第２の売買注文の注文銘柄である前記金融商品の銘柄を示す情報が含まれており、前記検出手段は、前記顧客の端末装置からの前記第１の売買注文の注文内容を示す第１の注文内容情報と前記顧客の顧客識別情報を受け取り、前記注文格納手段に格納されている第１の注文識別情報のうち当該受け取った第１の注文内容情報と第１の順序情報と前記顧客の顧客識別情報に対して前記注文格納手段で対応付けされている第１の注文識別情報を検出し、検出した当該第１の注文識別情報と第２の順序情報に対応付けて前記注文格納手段に格納されている第２の注文内容情報を前記注文格納手段から取得して記憶手段に記憶し、当該記憶手段に記憶した前記第２の注文内容情報のうち前記上場廃止銘柄格納手段に格納されている上場廃止銘柄に一致しない銘柄を注文銘柄とする第２の注文内容情報を検出し、前記受取手段は、前記第１の売買注文が約定したときに発注すべき第２の売買注文の注文内容を示す第２の注文内容情報を入力するための欄を有する注文入力用ウェブページであって前記検出手段が検出した前記第２の注文内容情報が前記欄に入力された注文入力用ウェブページを前記顧客の端末装置に表示し、当該注文入力用ウェブページの前記欄に入力された入力情報を送信するための操作を前記顧客が行うことにより前記顧客の端末装置から送信された前記第２の注文内容情報を前記顧客の顧客識別情報とともに受け取る構成としてもよい。
【０００７】
本発明の第１の形態の金融商品売買発注装置において、例えば、前記金融商品は株式であるとともに、前記取引所は証券取引所であり、前記第１の売買注文の注文内容を示す前記第１の注文内容情報には、当該第１の売買注文の注文銘柄及び売買区分を示す情報が含まれており、前記第２の売買注文の注文内容を示す前記第２の注文内容情報には、当該第２の売買注文の注文銘柄及び売買区分を示す情報が含まれており、前記受取手段は、前記第１の売買注文が約定したときに発注すべき第２の売買注文の注文内容を示す第２の注文内容情報を入力するための欄を有する注文入力用ウェブページであって前記検出手段が取得した第２の注文内容情報の注文銘柄及び売買区分を示す情報が前記欄に入力された注文入力用ウェブページを前記顧客の端末装置に表示する構成としてもよい。
本発明の第１の形態の金融商品売買発注装置において、前記検出手段は、前記顧客の端末装置からの前記第１の売買注文の注文内容を示す第１の注文内容情報と前記顧客の顧客識別情報を受け取ると、前記第１の売買注文を識別するための第１の注文識別情報である第１の注文識別番号を採番し、前記第１の売買注文の注文内容を示す前記第１の注文内容情報を、前記第１の売買注文を識別するための第１の注文識別情報と前記第１の売買注文の発注順序を示す第１の順序情報と前記第１の売買注文が未発注の状況であることを示すフラグと前記顧客の顧客識別情報に対応付けて前記注文格納手段に格納し、前記受取手段は、前記第１の売買注文が約定したときに発注すべき第２の売買注文の注文内容を示す第２の注文内容情報を入力するための欄を有する注文入力用ウェブページであって前記検出手段が取得した前記第２の注文内容情報が前記欄に入力された注文入力用ウェブページと前記第１の注文識別情報を前記顧客の端末装置に送信して前記注文入力用ウェブページを前記顧客の端末装置に表示させ、当該注文入力用ウェブページの前記欄に入力された入力情報を送信するための操作を前記顧客が行うことにより前記顧客の端末装置から送信された前記第２の注文内容情報を前記第１の注文識別情報及び前記顧客の顧客識別情報とともに受け取り、前記第２の売買注文を識別するための第２の注文識別情報である第２の注文識別番号を採番し、前記顧客の端末装置から受け取った前記第２の売買注文の注文内容を示す前記第２の注文内容情報を、前記第１の売買注文を識別するための第１の注文識別情報と前記第２の売買注文を識別するための第２の注文識別情報と前記第２の売買注文の発注順序を示す第２の順序情報と前記顧客の顧客識別情報に対応付けて前記注文格納手段に格納する構成としてもよい。
【０００８】
本発明の第２の形態では、金融商品の売買注文を発注する処理を行う金融商品売買発注装置において、第１の売買注文の注文内容を示す第１の注文内容情報と当該第１の売買注文が約定したときに発注すべき第２の売買注文の注文内容を示す第２の注文内容情報と顧客を識別するための顧客識別情報を前記顧客の端末装置からインターネットを介して受け取る注文受付手段と、前記注文受付手段が前記顧客の端末装置から受け取った前記第１の売買注文の注文内容を示す前記第１の注文内容情報を、前記第１の売買注文を識別するための第１の注文識別情報と前記第１の売買注文の発注順序を示す第１の順序情報と前記第１の売買注文が「未発注」の状況であることを示すフラグと前記顧客の顧客識別情報に対応付けて格納するとともに、前記注文受付手段が前記顧客の端末装置から受け取った前記第２の売買注文の注文内容を示す前記第２の注文内容情報を、前記第１の売買注文を識別するための第１の注文識別情報と前記第２の売買注文を識別するための第２の注文識別情報と前記第２の売買注文の発注順序を示す第２の順序情報であって前記第１の売買注文の発注順序に次ぐ順序を示す第２の順序情報と前記顧客の顧客識別情報に対応付けて格納する注文格納手段と、前記第１の売買注文の発注順序を示す第１の順序情報と「未発注」の状況を示すフラグと前記顧客の顧客識別情報に対応付けて前記注文格納手段に格納された前記第１の注文識別情報及び第１の注文内容情報を含む注文入力電文を前記金融商品の取引所に送信することにより前記第１の売買注文の発注処理を行い、当該第１の注文識別情報に対応付けて前記注文格納手段に格納されている前記フラグを「未発注」の状況から「発注済」の状況を示すフラグに更新する発注手段と、前記第１の注文識別情報及び第１の注文内容情報を含む前記注文入力電文が前記発注手段から送信されることにより発注処理が行われた前記第１の売買注文についての約定が成立したことを示す約定成立通知であって前記第１の注文識別情報を含む約定成立通知を前記取引所から受信する約定成立通知受信手段と、前記約定成立通知受信手段が受信した約定成立通知に含まれる前記第１の注文識別情報に対して前記注文格納手段で対応付けされている前記第１の順序情報を検出し、当該第１の順序情報が示す発注順序に次ぐ順序を示す第２の順序情報と当該第１の注文識別情報に対応付けて前記注文格納手段に格納されている前記第２の注文識別情報及び第２の注文内容情報を含む注文入力電文を前記金融商品の取引所に送信することにより、前記第２の売買注文の発注処理を行う関連発注手段とを有し、
前記注文受付手段は、前記顧客の端末装置からの前記第１の売買注文の注文内容を示す第１の注文内容情報と前記顧客の顧客識別情報を受け取り、売買注文の注文内容を示す注文内容情報と前記顧客の顧客識別情報に対して前記注文格納手段で対応付けされている当該売買注文を識別するための注文識別情報のうち当該受け取った第１の注文内容情報と前記顧客の顧客識別情報に対して前記注文格納手段で対応付けされている注文識別情報を検索し、検索した当該注文識別情報に対して前記注文格納手段で対応付けされている順序情報を検出して当該順序情報が示す発注順序に次ぐ順序を示す順序情報と当該注文識別情報に対応付けて前記注文格納手段に格納されている注文内容情報を前記注文格納手段から取得する検出手段と、前記第１の売買注文が約定したときに発注すべき第２の売買注文の注文内容を示す第２の注文内容情報を入力するための欄を有する注文入力用ウェブページであって前記検出手段が取得した注文内容情報が前記欄に入力された注文入力用ウェブページを前記顧客の端末装置に表示し、当該注文入力用ウェブページの前記欄に入力された入力情報を送信するための操作を前記顧客が行うことにより前記顧客の端末装置から送信された前記第２の注文内容情報を前記顧客の顧客識別情報とともに受け取る受取手段とを有することを特徴とする。
【０００９】
本発明の第２の形態の金融商品売買発注装置において、前記売買注文の注文内容を示す注文内容情報は、当該売買注文の注文銘柄である前記金融商品の銘柄及び当該売買注文の売買区分を示す情報を含み、前記検出手段は、前記顧客の端末装置からの前記第１の売買注文の注文内容を示す第１の注文内容情報と前記顧客の顧客識別情報を受け取り、売買注文の注文内容を示す注文内容情報と前記顧客の顧客識別情報に対して前記注文格納手段で対応付けされている当該売買注文を識別するための注文識別情報のうち当該受け取った第１の注文内容情報の銘柄及び売買区分と同一の銘柄及び売買区分を含む注文内容情報と前記顧客の顧客識別情報に対して前記注文格納手段で対応付けされている注文識別情報を検索し、検索した当該注文識別情報に対して前記注文格納手段で対応付けされている順序情報を検出して当該順序情報が示す発注順序に次ぐ順序を示す順序情報と当該注文識別情報に対応付けて前記注文格納手段に格納されている注文内容情報を前記注文格納手段から取得する構成としてもよい。
また、前記取引所において上場廃止となった銘柄である上場廃止銘柄を示す情報を格納する上場廃止銘柄格納手段をさらに有し、前記検出手段は、前記顧客の端末装置からの前記第１の売買注文の注文内容を示す第１の注文内容情報と前記顧客の顧客識別情報を受け取り、売買注文の注文内容を示す注文内容情報と前記顧客の顧客識別情報に対して前記注文格納手段で対応付けされている当該売買注文を識別するための注文識別情報のうち当該受け取った第１の注文内容情報の銘柄及び売買区分と同一の銘柄及び売買区分を含む注文内容情報と前記顧客の顧客識別情報に対して前記注文格納手段で対応付けされている注文識別情報を検索し、検索した当該注文識別情報に対して前記注文格納手段で対応付けされている順序情報を検出して当該順序情報が示す発注順序に次ぐ順序を示す順序情報と当該注文識別情報に対応付けて前記注文格納手段に格納されている注文内容情報を前記注文格納手段から取得して記憶手段に記憶し、当該記憶手段に記憶した前記注文内容情報のうち前記上場廃止銘柄格納手段に格納されている上場廃止銘柄に一致しない銘柄を注文銘柄とする注文内容情報を検出し、前記受取手段は、前記第１の売買注文が約定したときに発注すべき第２の売買注文の注文内容を示す第２の注文内容情報を入力するための欄を有する注文入力用ウェブページであって前記検出手段が検出した注文内容情報が前記欄に入力された注文入力用ウェブページを前記顧客の端末装置に表示し、当該注文入力用ウェブページの前記欄に入力された入力情報を送信するための操作を前記顧客が行うことにより前記顧客の端末装置から送信された前記第２の注文内容情報を前記顧客の顧客識別情報とともに受け取る構成としてもよい。
【００１０】
本発明の第２の形態の金融商品売買発注装置では、前記取引所において上場廃止となった銘柄である上場廃止銘柄を示す情報を格納する上場廃止銘柄格納手段をさらに有し、前記売買注文の注文内容を示す注文内容情報は、当該売買注文の注文銘柄である前記金融商品の銘柄を示す情報を含み、前記検出手段は、前記顧客の端末装置からの前記第１の売買注文の注文内容を示す第１の注文内容情報と前記顧客の顧客識別情報を受け取り、売買注文の注文内容を示す注文内容情報と前記顧客の顧客識別情報に対して前記注文格納手段で対応付けされている当該売買注文を識別するための注文識別情報のうち当該受け取った第１の注文内容情報と前記顧客の顧客識別情報に対して前記注文格納手段で対応付けされている注文識別情報を検索し、検索した当該注文識別情報に対して前記注文格納手段で対応付けされている順序情報を検出して当該順序情報が示す発注順序に次ぐ順序を示す順序情報と当該注文識別情報に対応付けて前記注文格納手段に格納されている注文内容情報を前記注文格納手段から取得して記憶手段に記憶し、当該記憶手段に記憶した前記注文内容情報のうち前記上場廃止銘柄格納手段に格納されている上場廃止銘柄に一致しない銘柄を注文銘柄とする注文内容情報を検出し、前記受取手段は、前記第１の売買注文が約定したときに発注すべき第２の売買注文の注文内容を示す第２の注文内容情報を入力するための欄を有する注文入力用ウェブページであって前記検出手段が検出した注文内容情報が前記欄に入力された注文入力用ウェブページを前記顧客の端末装置に表示し、当該注文入力用ウェブページの前記欄に入力された入力情報を送信するための操作を前記顧客が行うことにより前記顧客の端末装置から送信された前記第２の注文内容情報を前記顧客の顧客識別情報とともに受け取る構成としてもよい。
【００１１】
本発明の第２の形態の金融商品売買発注装置において、例えば、前記金融商品は株式であるとともに、前記取引所は証券取引所であり、前記売買注文の注文内容を示す注文内容情報は、当該売買注文の注文銘柄及び売買区分を示す情報を含み、前記受取手段は、前記第１の売買注文が約定したときに発注すべき第２の売買注文の注文内容を示す第２の注文内容情報を入力するための欄を有する注文入力用ウェブページであって前記検出手段が取得した注文内容情報の注文銘柄及び売買区分を示す情報が前記欄に入力された注文入力用ウェブページを前記顧客の端末装置に表示する構成としてもよい。
本発明の第２の形態の金融商品売買発注装置において、前記検出手段は、前記顧客の端末装置からの前記第１の売買注文の注文内容を示す第１の注文内容情報と前記顧客の顧客識別情報を受け取ると、前記第１の売買注文を識別するための第１の注文識別情報である第１の注文識別番号を採番し、前記第１の売買注文の注文内容を示す前記第１の注文内容情報を、前記第１の売買注文を識別するための第１の注文識別情報と前記第１の売買注文の発注順序を示す第１の順序情報と前記第１の売買注文が未発注の状況であることを示すフラグと前記顧客の顧客識別情報に対応付けて前記注文格納手段に格納し、前記受取手段は、前記第１の売買注文が約定したときに発注すべき第２の売買注文の注文内容を示す第２の注文内容情報を入力するための欄を有する注文入力用ウェブページであって前記検出手段が取得した注文内容情報が前記欄に入力された注文入力用ウェブページと前記第１の注文識別情報を前記顧客の端末装置に送信して前記注文入力用ウェブページを前記顧客の端末装置に表示させ、当該注文入力用ウェブページの前記欄に入力された入力情報を送信するための操作を前記顧客が行うことにより前記顧客の端末装置から送信された前記第２の注文内容情報を前記第１の注文識別情報及び前記顧客の顧客識別情報とともに受け取り、前記第２の売買注文を識別するための第２の注文識別情報である第２の注文識別番号を採番し、前記顧客の端末装置から受け取った前記第２の売買注文の注文内容を示す前記第２の注文内容情報を、前記第１の売買注文を識別するための第１の注文識別情報と前記第２の売買注文を識別するための第２の注文識別情報と前記第２の売買注文の発注順序を示す第２の順序情報と前記顧客の顧客識別情報に対応付けて前記注文格納手段に格納する構成としてもよい。
【００１２】
本発明の第３の形態は、コンピュータを、本発明の第１又は第２の形態の金融商品売買発注装置として機能させるためのプログラムである。
【００１３】
なお、上記発明は、本発明の必要な特徴の全てを列挙したものではなく、これらの特徴群のサブコンビネーションもまた、発明となり得る。
【発明の効果】
【００１４】
本発明によれば、第１の売買注文の約定成立後に発注すべき第２の売買注文を入力する場合に、顧客が過去に入力した第１及び第２の売買注文の売買パターンと同じ売買パターンの第２の売買注文を入力する手間を減らすことができ、顧客の注文入力時の利便性を向上可能な金融商品売買発注装置及びプログラムを提供することができる。
【発明を実施するための最良の形態】
【００１５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１６】
図１は、サーバ１０を含むシステム概要の一例を示す概要図である。サーバ１０は、顧客からの金融商品の売買注文を発注する処理を行う金融商品売買発注装置の一例であり、例えば証券会社により管理され、サーバ１０を管理するための管理者端末１１に接続されている。金融商品の一例は株式であるが、これに限らず、他の有価証券等であってもよい。このサーバ１０は、ネットワーク４０を介して顧客の端末装置（顧客端末）２０と通信し、ネットワーク４２を介して金融商品の取引所のコンピュータ３０と通信する。ここで、ネットワーク４０は例えばインターネットであってもよく、ネットワーク４２は専用線又は専用回線であってもよい。コンピュータ３０は、例えば証券取引所の有価証券取引の処理を行うための売買システムである。
【００１７】
図２は、サーバ１０のブロック構成の一例を示すブロック図である。サーバ１０は金融商品の売買注文を取り扱い、金融商品の売買注文として連続注文も取り扱う。このサーバ１０は、注文格納手段１０２と、上場廃止銘柄格納手段１０４と、発注手段１１０と、約定成立通知受信手段１２０と、関連発注手段１３０と、画面情報格納手段１７０と、注文受付手段１８０とを有する。なお、連続注文の発注における「親注文」は第１の売買注文の一例であり、「子注文」は第２の売買注文の一例であり、連続注文では親注文の約定成立により子注文の発注処理が行われる。以下、金融商品を株式等の有価証券とし、金融商品の取引所を証券取引所とした例について説明を行う。
【００１８】
画面情報格納手段１７０は、初期画面、第１の注文入力画面、第２の注文入力画面、第３の注文入力画面、第１の注文確認画面及び第２の注文確認画面を格納し、これらの画面はウェブページからなる。
初期画面は、金融商品の売買注文に係るトップページであって、顧客を識別するための顧客識別情報の一例であるユーザＩＤ用の入力欄、連続注文の注文入力画面の表示選択欄、連続注文ではない単一の売買注文（単一注文）の注文入力画面の表示選択欄及び送信ボタン等を有する。
第１の注文入力画面は、売買注文の入力用ページであって、連続注文の親注文の注文内容を入力するための注文入力用ウェブページであり、ユーザＩＤ用表示欄、階層用表示欄（階層用表示領域）、銘柄用入力欄、売買区分用入力欄、注文数量用入力欄、注文値段用入力欄及び送信ボタン等を有し、初期画面からリンクが張られている構成としてもよい。
第２の注文入力画面は、売買注文の入力用ページであって、第１の注文入力画面で入力された連続注文の親注文の注文内容を表示するとともに連続注文の子注文の注文内容を入力するための注文入力用ウェブページであり、ユーザＩＤ用表示欄、注文選択欄、階層用表示欄（階層用表示領域）、銘柄用入力欄、売買区分用入力欄、注文数量用入力欄、注文値段用入力欄及び送信ボタン等を有する。
第３の注文入力画面は、売買注文の入力用ページであって、連続注文ではない単一注文の注文内容を入力するための注文入力用ウェブページであり、ユーザＩＤ用表示欄、銘柄用入力欄、売買区分用入力欄、注文数量用入力欄、注文値段用入力欄及び送信ボタン等を有し、初期画面からリンクが張られている構成としてもよい。
第１の注文確認画面は、売買注文の確認用ページであって、第１及び第２の注文入力画面で入力された親注文及び子注文の注文内容を表示するための注文確認用ウェブページであり、ユーザＩＤ用表示欄、階層用表示欄、状況用表示欄、銘柄用表示欄、売買区分用表示欄、注文数量用表示欄、注文値段用表示欄及び確認ボタン等を有する。
第２の注文確認画面は、売買注文の確認用ページであって、第３の注文入力画面で入力された単一注文の注文内容を表示するための注文確認用ウェブページであり、ユーザＩＤ用表示欄、状況用表示欄、銘柄用表示欄、売買区分用表示欄、注文数量用表示欄、注文値段用表示欄及び確認ボタン等を有する。
【００１９】
注文受付手段１８０は、顧客の端末装置２０から送信された情報をネットワーク４０を通じて受信する。また、注文受付手段１８０は、ネットワーク４０を通じて、顧客の端末装置２０に初期画面、注文入力画面、注文確認画面等のウェブページを送信して表示させる。例えば、注文受付手段１８０は、顧客の端末装置２０から初期画面を送信（ダウンロード）すべき旨の送信要求情報を受信すると、画面情報格納手段１７０から初期画面のウェブページを取得して顧客の端末装置２０に送信する。そして、注文受付手段１８０は、顧客の端末装置２０に表示された初期画面のユーザＩＤ用入力欄に顧客により入力された当該顧客のユーザＩＤと注文入力画面の表示選択欄の選択入力による表示要求情報（例えば、連続注文の注文入力画面の表示選択欄の選択入力による第１の注文入力画面の表示要求情報、又は単一注文の注文入力画面の表示選択欄の選択入力による第３の注文入力画面の表示要求情報）を顧客の端末装置２０から受信する。顧客のユーザＩＤと注文入力画面の表示要求情報を受信した注文受付手段１８０は、画面情報格納手段１７０から表示要求情報に対応する注文入力画面のウェブページを取得して当該顧客の端末装置２０に送信する。なお、注文受付手段１８０は、顧客の端末装置２０に表示された初期画面のユーザＩＤ用入力欄に入力された顧客のユーザＩＤを顧客の端末装置２０から受け取ると当該顧客の端末装置２０のブラウザの記憶手段に当該顧客のユーザＩＤを保存し、それ以降において例えば顧客の端末装置２０が注文入力画面の入力情報を注文受付手段１８０に送信する場合など注文受付手段１８０へのアクセス毎に顧客の端末装置２０はブラウザの記憶手段のユーザＩＤを注文受付手段１８０に自動的に送信する構成としてもよい。
この注文受付手段１８０は、第１の注文入力画面のウェブページにより、第１の売買注文の注文内容を示す第１の注文内容情報を第１の売買注文を示す情報及び顧客のユーザＩＤとともに顧客の端末装置２０からネットワーク４０を通じて受け取り、さらに、第２の注文入力画面のウェブページにより、第１の売買注文が約定したときに発注すべき第２の売買注文の注文内容を示す第２の注文内容情報を第２の売買注文を示す情報及び顧客のユーザＩＤとともに顧客の端末装置２０からネットワーク４０を通じて受け取る。また、第３の注文入力画面のウェブページにより、単一注文の注文内容を示す注文内容情報を単一注文を示す情報及び顧客のユーザＩＤとともに顧客の端末装置２０からネットワーク４０を通じて受け取る。
【００２０】
注文格納手段１０２は、注文受付手段１８０が顧客の端末装置２０から受け取った第１の売買注文の注文内容を示す第１の注文内容情報を、第１の売買注文を識別するための第１の注文識別情報と第１の売買注文の発注順序を示す第１の順序情報と第１の売買注文が「未発注」の状況であることを示すフラグと連続注文の親注文であることを示す親子情報と当該顧客のユーザＩＤに対応付けて格納し、さらに、注文受付手段１８０が顧客の端末装置２０から受け取った第２の売買注文の注文内容を示す第２の注文内容情報を、第１の売買注文を識別するための第１の注文識別情報と第２の売買注文を識別するための第２の注文識別情報と第２の売買注文の発注順序を示す第２の順序情報であって第１の売買注文の発注順序に次ぐ順序を示す第２の順序情報と第２の売買注文が「未発注」の状況であることを示すフラグと当該顧客のユーザＩＤに対応付けて格納し、この場合の第１の注文識別情報は単一注文及び親注文ではないことを示す親子情報として用いる。また、注文受付手段１８０が顧客の端末装置２０から受け取った単一注文の注文内容を示す注文内容情報を、当該単一注文を識別するための注文識別情報と当該単一注文が「未発注」の状況であることを示すフラグと単一注文であることを示す親子情報と当該顧客のユーザＩＤに対応付けて格納する。
【００２１】
発注手段１１０は、第１の売買注文の発注順序を示す第１の順序情報と「未発注」の状況を示すフラグと親注文を示す親子情報と顧客のユーザＩＤに対応付けて注文格納手段１０２に格納された第１の注文識別情報及び第１の注文内容情報を含む注文入力電文を証券取引所のコンピュータ３０に送信することにより親注文である第１の売買注文の発注処理を行い、当該第１の注文識別情報に対応付けて注文格納手段１０２に格納されているフラグを「未発注」から「発注済」の状況を示すフラグの一例である「注文中」の状況を示すフラグに更新する処理を行う。また、発注手段１１０は、「未発注」の状況を示すフラグと単一注文を示す親子情報と顧客のユーザＩＤに対応付けて注文格納手段１０２に格納された単一注文の注文識別情報及び注文内容情報を含む注文入力電文を証券取引所のコンピュータ３０に送信することにより単一注文の発注処理を行い、当該単一注文の注文識別情報に対応付けて注文格納手段１０２に格納されているフラグを「未発注」から「注文中」の状況を示すフラグに更新する処理を行う。
【００２２】
約定成立通知受信手段１２０は、注文識別情報及び注文内容情報を含む注文入力電文が発注手段１１０から送信されることにより発注処理が行われた売買注文についての約定が成立したことを示す約定成立通知であって当該注文識別情報を含む約定成立通知を証券取引所のコンピュータ３０から受信する。そして、当該約定成立通知に含まれる注文識別情報に対応付けて注文格納手段１０２に格納されているフラグを「注文中」から「約定成立」の状況を示すフラグに更新する処理を行う。
例えば、約定成立通知受信手段１２０は、第１の注文識別情報及び第１の注文内容情報を含む注文入力電文が発注手段１１０から送信されることにより発注処理が行われた第１の売買注文についての約定が成立したことを示す約定成立通知であって第１の注文識別情報を含む約定成立通知を証券取引所のコンピュータ３０から受信する。そして、当該約定成立通知に含まれる第１の注文識別情報に対応付けて注文格納手段１０２に格納されているフラグを「注文中」から「約定成立」の状況を示すフラグに更新する処理を行う。
また、約定成立通知受信手段１２０は、第２の注文識別情報及び第２の注文内容情報を含む注文入力電文が発注手段１１０から送信されることにより発注処理が行われた第２の売買注文についての約定が成立したことを示す約定成立通知であって第２の注文識別情報を含む約定成立通知を証券取引所のコンピュータ３０から受信する。そして、当該約定成立通知に含まれる第２の注文識別情報に対応付けて注文格納手段１０２に格納されているフラグを「注文中（連続中）」から「約定成立」の状況を示すフラグに更新する処理を行う。
また、約定成立通知受信手段１２０は、単一注文の注文識別情報及び注文内容情報を含む注文入力電文が発注手段１１０から送信されることにより発注処理が行われた単一注文についての約定が成立したことを示す約定成立通知であって当該単一注文の注文識別情報を含む約定成立通知を証券取引所のコンピュータ３０から受信する。そして、当該約定成立通知に含まれる単一注文の注文識別情報に対応付けて注文格納手段１０２に格納されているフラグを「注文中」から「約定成立」の状況を示すフラグに更新する処理を行う。
【００２３】
関連発注手段１３０は、約定成立通知受信手段１２０が受信した約定成立通知に含まれる第１の注文識別情報に対して注文格納手段１０２で対応付けて格納されている親子情報及び発注順序情報から親注文を示す情報と親注文の発注順序を示す第１の順序情報を検出し、当該第１の順序情報が示す発注順序に次ぐ順序を示す第２の順序情報と当該第１の注文識別情報に対応付けて注文格納手段１０２に格納されている第２の注文識別情報及び第２の注文内容情報を注文格納手段１０２から取得し、取得した第２の注文識別情報及び第２の注文内容情報を含む注文入力電文を証券取引所のコンピュータ３０に送信することにより、顧客により予め定められた連続注文の子注文である第２の売買注文の発注処理を行う。関連発注手段１３０は、当該子注文の発注処理を行った場合に、第２の注文識別情報に対応付けて注文格納手段１０２に格納されているフラグを、未発注（即ち「予約」）を示す情報から「注文中（連続中）」を示すフラグに更新する処理を行う。また、関連発注手段１３０は、約定成立通知受信手段１２０が受信した約定成立通知に含まれる第２の注文識別情報に対して注文格納手段１０２で対応付けて格納されている親子情報及び順序情報から単一注文及び親注文ではないことを示す情報並びに子注文の発注順序を示す第２の順序情報を検出することで、連続注文の子注文が発注されて約定したことを認識し、関連発注手段１３０における第２の売買注文の処理を終了する。
また、関連発注手段１３０は、約定成立通知受信手段１２０が受信した約定成立通知に含まれる単一注文の注文識別情報に対して注文格納手段１０２で対応付けて格納されている親子情報及び順序情報のうち親子情報から単一注文を示す情報を検出することで、単一注文が発注されて約定したことを認識し、関連発注手段１３０における単一注文の処理を終了する。
【００２４】
注文受付手段１８０は、検出手段１８１と受取手段１８２を有する。注文受付手段１８０の検出手段１８１は、第１の注文入力画面のウェブページを顧客の端末装置２０に表示し、当該第１の注文入力画面のウェブページに入力された第１の売買注文の注文内容を示す第１の注文内容情報を送信するための操作を顧客が行うことにより顧客の端末装置２０から送信された第１の注文内容情報を第１の売買注文を示す情報及び顧客のユーザＩＤとともに受け取り、注文格納手段１０２に格納されている第１の注文識別情報のうち当該受け取った第１の注文内容情報と第１の順序情報と顧客のユーザＩＤに対して注文格納手段１０２で対応付けされている第１の注文識別情報を検出し、検出した当該第１の注文識別情報と第２の順序情報に対応付けて注文格納手段１０２に格納されている第２の注文内容情報を注文格納手段１０２から取得する。
注文受付手段１８０の受取手段１８２は、第１の売買注文が約定したときに発注すべき第２の売買注文の注文内容を示す第２の注文内容情報を入力するための入力欄を有する第２の注文入力画面のウェブページであって検出手段１８１が取得した第２の注文内容情報が入力欄に入力された第２の注文入力画面のウェブページを顧客の端末装置２０に表示し、当該第２の注文入力画面のウェブページの入力欄に入力された入力情報を送信するための操作を顧客が行うことにより顧客の端末装置２０から送信された第２の注文内容情報を第２の売買注文を示す情報及び顧客のユーザＩＤとともに受け取る。
【００２５】
上場廃止銘柄格納手段１０４は、証券取引所において上場廃止となった銘柄である上場廃止銘柄を示す情報を格納し、例えばサーバ１０の管理者が管理者用の端末装置である管理者端末１１から入力した上場廃止銘柄を示す情報を受け取って格納する。
注文受付手段１８０の検出手段１８１は、第１の売買注文の注文内容を示す第１の注文内容情報と第１の売買注文を示す情報と顧客のユーザＩＤを顧客の端末装置２０から受け取り、注文格納手段１０２に格納されている第１の注文識別情報のうち当該受け取った第１の注文内容情報の注文銘柄及び売買区分と同一の注文銘柄及び売買区分を含む注文内容情報と第１の順序情報と顧客のユーザＩＤに対して注文格納手段１０２で対応付けされている第１の注文識別情報を検出し、検出した当該第１の注文識別情報と第２の順序情報に対応付けて注文格納手段１０２に格納されている第２の注文内容情報を取得して検出用記憶手段に記憶し、当該検出用記憶手段に記憶した第２の注文内容情報のうち上場廃止銘柄格納手段１０４に格納されている上場廃止銘柄に一致しない銘柄を注文銘柄とする第２の注文内容情報を検出する。注文受付手段１８０の受取手段１８２は、第１の売買注文が約定したときに発注すべき第２の売買注文の注文内容を示す第２の注文内容情報を入力するための入力欄を有する第２の注文入力画面のウェブページであって検出手段１８１が検出した第２の注文内容情報が入力欄に入力された第２の注文入力画面のウェブページを顧客の端末装置２０に表示することで、上場廃止銘柄に係る売買注文の注文内容情報が子注文の候補として注文入力画面に表示されることを防ぐようにしている。
【００２６】
記憶媒体５０は、注文格納手段１０２、上場廃止銘柄格納手段１０４、発注手段１１０、約定成立通知受信手段１２０、関連発注手段１３０、画面情報格納手段１７０及び注文受付手段１８０の処理動作をコンピュータに行わせるためのプログラムを格納する。コンピュータを備えるサーバ１０は記憶媒体５０に格納された上記プログラムをインストールすることにより、注文格納手段１０２等の各手段１０２，１０４，１１０，１２０，１３０，１７０，１８０の処理動作を行う構成としてもよい。さらに、他の方法として、サーバ１０は、そのようなプログラムを、通信回線又はネットワーク４０を介して取得する構成としてもよい。
【００２７】
図３は、注文格納手段１０２に格納される注文情報の第１の例を示す説明図である。注文格納手段１０２は、注文識別情報である注文ＩＤ及びユーザＩＤに対応付けて、注文受付日時、親子情報、発注順序情報、状況フラグ（状況ＦＬＧ）及び注文内容情報等を格納する。注文内容情報は、銘柄識別情報、売買区分、注文数量及び注文値段を含み、ここでは銘柄識別情報として銘柄コードを用いるものを例示する。
【００２８】
注文格納手段１０２は、例えば、リレーショナル・データベース（ＲＤＢ）を用いて構成してもよく、顧客を識別するユーザＩＤを格納するためのユーザＩＤフィールド、売買注文の注文ＩＤを格納するための注文ＩＤフィールド、顧客からの売買注文の注文受付日時を格納するための注文受付日時フィールド、売買注文に関する親子情報を格納するための親子情報フィールド、売買注文の発注順序情報を格納するための発注順序情報フィールド、売買注文の状況を示す状況フラグを格納するための状況ＦＬＧフィールド、売買注文の注文銘柄を示す銘柄コードを格納するための銘柄コードフィールド、売買注文の売買区分を格納するための売買区分フィールド、売買注文の注文数量を格納するための注文数量フィールド及び売買注文の注文値段を格納するための注文値段フィールドをレコード毎に設け、同一レコードに格納されるユーザＩＤ、注文ＩＤ、注文受付日時、親子情報、発注順序情報、状況フラグ、銘柄コード、売買区分、注文数量及び注文値段を互いに対応付けるようにしてもよい。
【００２９】
注文格納手段１０２は、注文ＩＤフィールドに、売買注文の注文ＩＤを格納し、例えば親注文を識別する注文ＩＤである親注文ＩＤ、または、親注文の約定が成立したときに発注すべきものとして顧客により予め決められた子注文を識別するための注文ＩＤである子注文ＩＤを格納する。一例として、注文受付手段１８０は顧客の端末装置２０から注文内容情報を受信した場合に、顧客からの売買注文を計数するためのカウンタをカウントアップしてそのカウント値を当該売買注文を識別するための注文ＩＤとすることで当該売買注文の注文識別番号からなる注文ＩＤを採番し、当該売買注文の注文ＩＤを注文格納手段１０２の注文ＩＤフィールドに格納する構成としてもよい。なお、注文ＩＤの値は、親注文ＩＤであるか子注文ＩＤであるか区別可能な値を用いるようにしてもよい。
【００３０】
注文格納手段１０２は、注文受付日時フィールドに、顧客から売買注文を受け取った日時情報を格納する。例えば注文受付手段１８０は、顧客の端末装置２０から売買注文の注文内容情報を受信すると、当該注文内容情報の受信日時を顧客からの売買注文の注文受付日時として注文格納手段１０２の注文受付日時フィールドに格納する構成としてもよい。図３に示す例おいて、注文格納手段１０２は、注文ＩＤ「Ａ０００１」に対応付けて注文受付日時「２００６年４月３日０９：４０」を格納しており、これは注文ＩＤ「Ａ０００１」により識別される売買注文の注文内容情報を注文受付日時「２００６年４月３日０９：４０」に顧客の端末装置２０から注文受付手段１８０が受け取ったことを示している。同様にして、注文格納手段１０２は、注文ＩＤ「Ａ０００２」に対応付けて注文受付日時「２００６年４月３日０９：０３」を格納しており、これは注文ＩＤ「Ａ０００２」により識別される売買注文の注文内容情報を注文受付日時「２００６年４月３日０９：４３」に顧客の端末装置２０から注文受付手段１８０が受け取ったことを示している。
【００３１】
注文格納手段１０２は、親子情報フィールドに、連続注文における親注文と子注文の関係を示す情報を格納する。この場合に、注文格納手段１０２は、当該売買注文が子注文であるときは、その親注文の注文ＩＤ（子注文よりも発注順序が１つだけ上位の注文の注文ＩＤ）を親子情報として格納する。一方、注文格納手段１０２は、当該売買注文が親注文であるときは、親子情報としてＮＵＬＬ（ヌル）を格納する。また、注文格納手段１０２は、売買注文が連続注文ではない単一注文であるときは単一注文を示す情報を格納する。図３に示す例において、注文格納手段１０２は、注文ＩＤ「Ａ０００１」に対応付けて、当該注文が親注文であることを示す親子情報「ＮＵＬＬ」を格納している。同様に、注文格納手段１０２は、注文ＩＤ「Ａ００１１」に対応付けて、当該注文が親注文であることを示す親子情報「ＮＵＬＬ」を格納している。また、注文格納手段１０２は、注文ＩＤ「Ａ０００２」に対応付けて親子情報「Ａ０００１」を格納しており、これは当該注文ＩＤ「Ａ０００２」の売買注文が、注文ＩＤが「Ａ０００１」である親注文に係る子注文であることを示している。また、注文格納手段１０２は、注文ＩＤ「Ａ００１２」に対応付けて親子情報「Ａ００１１」を格納しており、これは当該注文ＩＤ「Ａ００１２」の売買注文が、注文ＩＤが「Ａ００１１」である親注文に係る子注文であることを示している。
【００３２】
注文格納手段１０２は、発注順序情報フィールドに、親注文の発注順序を示す親発注順序情報、または、発注順序情報であって親注文の発注順序に次ぐ順序を示す子発注順序情報を格納する。発注順序情報の値は、親発注順序情報であるか子発注順序情報であるかを区別可能な値を用いてもよい。この場合に、注文格納手段１０２は、当該売買注文が親注文であるときは発注順序情報「１」を格納し、当該売買注文が子注文であるときは発注順序情報「２」を格納する。図３に示す例おいて、注文格納手段１０２は、注文ＩＤ「Ａ０００１」，「Ａ００１１」の各々に対応付けて親注文の発注順序を示す発注順序情報「１」を格納しており、注文ＩＤ「Ａ０００２」，「Ａ００１２」の各々に対応付けて子注文の発注順序を示す発注順序情報「２」を格納している。
【００３３】
注文格納手段１０２は、状況ＦＬＧフィールドに、売買注文の状況を示す状況フラグを格納する。図３に示す例おいて、状況フラグ「０」は当該注文（単一注文又は親注文）が「未発注」の状況であることを示すフラグであり、状況フラグ「４」は当該注文（単一注文又は親注文）が「注文中」の状況であることを示すフラグであるとともに「発注済」の状況であることを示すフラグでもあり、状況フラグ「９」は当該注文（子注文）が「未発注」（即ち「予約」）の状況であることを示すフラグであり、状況フラグ「２」は当該注文（子注文）が連続注文の発注により「注文中」（即ち「連続中」）の状況であることを示すフラグであるとともに「発注済」の状況であることを示すフラグでもあり、状況フラグ「３」は当該注文が「約定成立」の状況であることを示すフラグであるとともに「発注済」の状況であることを示すフラグでもある。注文格納手段１０２は、顧客から親注文の注文内容情報を受け取って格納するときの未発注の当該親注文に対するデフォルト値として状況フラグ「０」を格納し、顧客から子注文の注文内容情報を受け取って格納するときの未発注の当該子注文に対するデフォルト値として状況フラグ「９」を格納する。
【００３４】
注文格納手段１０２は、銘柄コードフィールドに、当該売買注文の注文銘柄の銘柄コードを格納する。図３に示す例において、注文格納手段１０２は、注文ＩＤ「Ａ０００１」，「Ａ００１１」の各々に対応付けて銘柄コード「Ｘ００１」を格納しており、注文ＩＤ「Ａ０００２」に対応付けて銘柄コード「Ｘ００２」を格納しており、注文ＩＤ「Ａ００１２」に対応付けて銘柄コード「Ｘ００３」を格納している。
注文格納手段１０２は、売買区分フィールドに、当該売買注文の売買区分が買付であるか売付であるかの区分を示す情報を格納する。この場合に、注文格納手段１０２は、当該売買注文の売買区分が買付であるときは、売買区分「１」を格納し、当該売買注文の売買区分が売付であるときは、売買区分「２」を格納する。図３に示す例において、注文格納手段１０２は、注文ＩＤ「Ａ０００１」，「Ａ０００２」，「Ａ００１１」の各々に対応付けて当該売買注文の売買区分が買付であることを示す売買区分「１」を格納しており、注文ＩＤ「Ａ００１２」に対応付けて当該売買注文の売買区分が売付であることを示す売買区分「２」を格納している。
【００３５】
注文格納手段１０２は、注文数量フィールドに、当該売買注文の注文数量を格納する。図３に示す例において、注文格納手段１０２は、注文ＩＤ「Ａ０００１」に対応付けて注文数量「４０００」（４０００株）を格納しており、注文ＩＤ「Ａ０００２」に対応付けて注文数量「５００」（５００株）を格納しており、注文ＩＤ「Ａ００１１」に対応付けて注文数量「３０００」（３０００株）を格納しており、注文ＩＤ「Ａ００１２」に対応付けて注文数量「１０００」（１０００株）を格納している。
注文格納手段１０２は、注文値段フィールドに、当該売買注文の注文値段を格納する。図３に示す例において、注文格納手段１０２は、注文ＩＤ「Ａ０００１」に対応付けて注文値段「７１０」（７１０円）を格納しており、注文ＩＤ「Ａ０００２」に対応付けて注文値段「１５０」（１５０円）を格納しており、注文ＩＤ「Ａ００１１」に対応付けて注文値段「７３０」（７３０円）を格納しており、注文ＩＤ「Ａ００１２」に対応付けて注文値段「１１００」（１１００円）を格納している。なお、売買注文の注文値段として指値注文のときは指値を用いるとともに成行注文のときは成行を示す情報を用い、注文格納手段１０２は、注文値段フィールドにおいて、指値注文のときは指値を格納し、売買注文が成行注文のときは成行を示す情報を格納するようにしてもよい。
【００３６】
図４は、上場廃止銘柄格納手段１０４に格納される銘柄情報の一例を示す説明図である。上場廃止銘柄格納手段１０４は、銘柄情報として、銘柄コードと当該銘柄コードの銘柄の銘柄名を格納する。例えば、上場廃止銘柄格納手段１０４は、リレーショナル・データベース（ＲＤＢ）を用いて構成してもよく、銘柄コードを格納するための銘柄コードフィールドと銘柄名を格納するための銘柄名フィールドをレコード毎に設け、同一レコードに格納される銘柄コードと銘柄名を互いに対応付けるようにしてもよい。上場廃止銘柄格納手段１０４は、サーバ１０の管理者が管理者端末１１から入力した上場廃止銘柄を示す銘柄コードとその銘柄名を受け取って格納する。図４に示す例において、上場廃止銘柄格納手段１０４は、銘柄コード「Ｘ００４」とその銘柄名「××」を格納しており、銘柄コード「Ｘ００４」により識別される銘柄名「××」の銘柄は上場廃止銘柄であることを示している。
【００３７】
図５は、顧客の端末装置２０とサーバ１０において、連続注文の入力に関する処理動作の一例を示すフローチャートである。図６は、顧客の端末装置２０に表示される第１の注文入力画面の例を示す説明図である。図７は、注文格納手段１０２に格納される注文情報の第２の例を示す説明図である。図８は、顧客の端末装置２０に表示される第２の注文入力画面の例を示す説明図である。図９は、注文格納手段１０２に格納される注文情報の第３の例を示す説明図である。図１０は、顧客の端末装置２０に表示される第１の注文確認画面の一例を示す説明図である。
図５のフローチャートは、顧客が顧客の端末装置２０に表示された初期画面のウェブページのユーザＩＤ用入力欄にユーザＩＤ「Ｕ００１」を入力するとともに連続注文の注文入力画面の表示選択欄を選択する入力を行って送信ボタンをクリック操作することで初期画面の入力情報をサーバ１０に送信し、サーバ１０の注文受付手段１８０がユーザＩＤ用入力欄に入力された顧客のユーザＩＤ「Ｕ００１」と連続注文の注文入力画面の表示選択欄の選択による第１の注文入力画面の送信要求情報を受信することにより開始する。また、本フローチャートのスタート時において、注文格納手段１０２は図３に例示する注文情報を格納しているとともに、上場廃止銘柄格納手段１０４は図４に例示する銘柄情報を格納しているものとする。なお、図５のフローチャートにおいて、左側のフローのステップＳ１００〜Ｓ１６０は顧客の端末装置２０の処理動作を示し、右側のフローのステップＳ３００〜Ｓ３８０はサーバ１０の処理動作を示す。
【００３８】
顧客の端末装置２０から顧客のユーザＩＤ「Ｕ００１」と第１の注文入力画面の送信要求情報を受信した注文受付手段１８０の検出手段１８１は、画面情報格納手段１７０から第１の注文入力画面のウェブページを取得する。そして注文受付手段１８０の検出手段１８１は、取得した第１の注文入力画面のウェブページであってユーザＩＤ用表示欄に「Ｕ００１」が入力されたウェブページを、ネットワーク４０を通じて顧客の端末装置２０に送信する（ステップＳ３００）。顧客の端末装置２０は、注文受付手段１８０から第１の注文入力画面のウェブページを受信し、受信した第１の注文入力画面のウェブページを表示する（ステップＳ１００）。
【００３９】
顧客の端末装置２０は、ステップＳ１００で表示した第１の注文入力画面の各入力欄を用いて、親注文の注文内容情報の入力を受け付ける（ステップＳ１１０）。図６に示す第１の注文入力画面の表示例において、顧客の端末装置２０は、親注文の入力として、銘柄コード用入力欄に「Ｘ００１」、売買区分用入力欄に「買付」、注文数量用入力欄に「５０００」及び注文値段用入力欄に「７５０」の入力を受け付けている。ここで、入力領域１００に配された階層用表示欄「親注文」の表示は、当該入力領域１００に配された一連の入力欄が親注文の注文内容情報に関する入力欄であることを示す。なお、図６に示す第１の注文入力画面の例において、ユーザＩＤ用表示欄のユーザＩＤ「Ｕ００１」、入力領域１００に配された階層用表示欄の階層「親注文」及び送信ボタン等は、ステップＳ１００において表示されているものであり、ステップＳ１００において、初期画面のユーザＩＤ用入力欄に入力されたユーザＩＤ「Ｕ００１」をユーザＩＤ用表示欄に表示する。また、顧客の端末装置２０は、ステップＳ１００において、入力領域１００の階層用表示欄に予め設定された「親注文」の文字を表示し、注文入力画面の右下側に送信ボタンを表示するようになっている。なお、第１から第３の注文入力画面の各々に現在時刻用表示欄を設けて顧客の端末装置２０内の時計から逐次取得する現在時刻を現在時刻用表示欄に表示するようにしてもよい。
【００４０】
次に、顧客の端末装置２０は、第１の注文入力画面に入力された親注文の注文内容情報をサーバ１０の注文受付手段１８０に送信する（ステップＳ１２０）。図６に示す第１の注文入力画面の表示例において、顧客の端末装置２０は、顧客が送信ボタンをクリック操作することにより、入力領域１００に入力された親注文の注文内容情報をサーバ１０の注文受付手段１８０に送信する。送信される親注文の注文内容情報は、入力領域１００の銘柄コード用入力欄に入力された銘柄コード「Ｘ００１」、売買区分用入力欄に入力された「買付」の売買区分を示す売買区分「１」、注文数量用入力欄に入力された注文数量「５０００」、及び、注文値段用入力欄に入力された注文値段「７５０」を含み、これら注文内容情報とともに、当該注文内容情報の注文の階層を示す親注文の階層「１」からなる親注文を示す情報と顧客のユーザＩＤ「Ｕ００１」もサーバ１０に送信される。なお、売買区分用入力欄に入力された「買付」の売買区分は売買区分「１」として送信され、「売付」の売買区分は売買区分「２」として送信され、階層用表示欄の「親注文」の階層「１」は親注文を示す情報として送信されるように第１の注文入力画面のウェブページにおいて予め設定されている。
【００４１】
注文受付手段１８０の検出手段１８１は、親注文の注文内容情報を入力するための第１の注文入力画面のウェブページを表示した顧客の端末装置２０から親注文の注文内容情報と親注文の階層「１」と顧客のユーザＩＤ等を受信して当該親注文の注文内容情報等の受信日時とともに親注文受付用記憶手段に記憶し、当該親注文を識別するための親注文ＩＤを採番する。そして、注文受付手段１８０の検出手段１８１は、親注文受付用記憶手段に記憶された親注文の注文内容情報等を注文格納手段１０２に格納する（ステップＳ３１０）。具体的には、図７に示すように、注文受付手段１８０の検出手段１８１は、親注文受付用記憶手段に記憶された顧客のユーザＩＤ「Ｕ００１」をユーザＩＤフィールドに格納し、採番した親注文ＩＤ「Ａ００１４」を注文ＩＤフィールドに格納し、親注文受付用記憶手段に記憶された親注文内容情報の受信日時「２００６年４月１７日１３：００」を注文受付日時フィールドに格納し、親注文受付用記憶手段に記憶された親注文の階層「１」に基づいて親子情報「ＮＵＬＬ」を親子情報フィールドに格納するとともに発注順序情報「１」を発注順序情報フィールドに格納し、親注文が未発注の状況であることを示す状況フラグ「０」を状況ＦＬＧフィールドに格納し、親注文受付用記憶手段に記憶された親注文内容情報に含まれる銘柄コード「Ｘ００１」を銘柄コードフィールドに格納し、親注文受付用記憶手段に記憶された親注文内容情報に含まれる売買区分「１」を売買区分フィールドに格納し、親注文受付用記憶手段に記憶された親注文内容情報に含まれる注文数量「５０００」を注文数量フィールドに格納し、親注文受付用記憶手段に記憶された親注文内容情報に含まれる注文値段「７５０」を注文値段フィールドに格納する。
【００４２】
次に、注文受付手段１８０の検出手段１８１は、親注文受付用記憶手段に記憶された親注文内容情報と同一の注文内容情報を含む親注文ＩＤを注文格納手段１０２から検索する（ステップＳ３２０）。具体的には、検出手段１８１は、注文格納手段１０２から、親注文受付用記憶手段に記憶された親注文内容情報に含まれる銘柄コード及び売買区分と同一の銘柄コード及び売買区分を有する親注文内容情報の注文ＩＤを検索し、例えば親注文受付用記憶手段に記憶された親注文内容情報に含まれる銘柄コード及び売買区分と同一の銘柄コード及び売買区分と発注順序情報「１」と顧客のユーザＩＤ「Ｕ００１」に対応付けて注文格納手段１０２に格納されている親注文ＩＤを検出する。図７に示す例において、検出手段１８１は、親注文受付用記憶手段に記憶された親注文内容情報に含まれる銘柄コード「Ｘ００１」及び売買区分「１」と同一の銘柄コード「Ｘ００１」及び売買区分「１」と発注順序情報「１」とユーザＩＤ「Ｕ００１」に対応付けされている親注文ＩＤ「Ａ０００１」，「Ａ００１１」，「Ａ００１４」を検出する。なお、検出手段１８１は、親注文受付用記憶手段に記憶した親注文内容情報に含まれる銘柄コード「Ｘ００１」及び売買区分「１」と同一の銘柄コード「Ｘ００１」及び売買区分「１」と発注順序情報「１」とユーザＩＤ「Ｕ００１」に対応付けされている親注文ＩＤであって状況フラグが「０」以外の親注文ＩＤ「Ａ０００１」，「Ａ００１１」を検出する構成にして顧客の端末装置２０から受取直後の親注文の注文ＩＤ「Ａ００１４」を検出しないようにしてもよい。
【００４３】
次に、注文受付手段１８０の検出手段１８１は、検出された親注文ＩＤの親注文に対応する子注文内容情報等を連続注文の子注文の候補として注文格納手段１０２から抽出する（ステップＳ３３０）。図７に示す例において、検出手段１８１は、注文格納手段１０２から、発注順序情報「２」と親子情報「Ａ０００１」に対応付けされている子注文ＩＤ「Ａ０００２」を抽出し、当該子注文ＩＤ「Ａ０００２」に対応付けられた子注文内容情報（銘柄コード「Ｘ００２」、売買区分「１」、注文数量「５００」、注文値段「１５０」等）を抽出する。同様に、検出手段１８１は、注文格納手段１０２から、発注順序情報「２」と親子情報「Ａ００１１」に対応付けされている子注文ＩＤ「Ａ００１２」を抽出し、当該子注文ＩＤ「Ａ００１２」に対応付けられた子注文内容情報（銘柄コード「Ｘ００３」、売買区分「２」、注文数量「１０００」、注文値段「１１００」等）を抽出する。検出手段１８１は、子注文ＩＤ「Ａ０００２」と当該注文ＩＤ「Ａ０００２」の子注文内容情報（銘柄コード「Ｘ００２」、売買区分「１」、注文数量「５００」、注文値段「１５０」等）と一致を示す判定フラグとユーザＩＤ「Ｕ００１」を対応付けて検出用記憶手段に記憶するとともに、子注文ＩＤ「Ａ００１２」と当該子注文ＩＤ「Ａ００１２」の子注文内容情報（銘柄コード「Ｘ００３」、売買区分「２」、注文数量「１０００」、注文値段「１１００」等）と一致を示す判定フラグとユーザＩＤ「Ｕ００１」を対応付けて検出用記憶手段に記憶する。例えば検出手段１８１の検出用記憶手段には、注文ＩＤと当該注文ＩＤの注文内容情報と判定フラグとユーザＩＤを記憶するための記憶領域がレコード毎に設けられ、同一レコードに記憶される注文ＩＤと注文内容情報と判定フラグとユーザＩＤが互いに対応付けされるようにしてもよい。
【００４４】
なお、ステップＳ３２０において、注文受付手段１８０の検出手段１８１は、親注文受付用記憶手段に記憶された親注文選択情報に基づき、親注文受付用記憶手段に記憶された親注文内容情報と同一の注文内容情報を含む注文ＩＤを注文格納手段１０２から検索し、具体的には、注文格納手段１０２から、親注文受付用記憶手段に記憶された親注文内容情報に含まれる銘柄コード及び売買区分と同一の銘柄コード及び売買区分と顧客のユーザＩＤ「Ｕ００１」に対応付けて注文格納手段１０２に格納されている注文ＩＤを検出する構成としてもよく、図７に示す例において、検出手段１８１は、親注文受付用記憶手段に記憶された親注文内容情報に含まれる銘柄コード「Ｘ００１」及び売買区分「１」と同一の銘柄コード「Ｘ００１」及び売買区分「１」とユーザＩＤ「Ｕ００１」に対応付けされている注文ＩＤ「Ａ０００１」，「Ａ００１１」，「Ａ００１４」を検出する構成としてもよい。この検出手段１８１は、親注文受付用記憶手段に記憶された親注文内容情報に含まれる銘柄コード「Ｘ００１」及び売買区分「１」と同一の銘柄コード「Ｘ００１」及び売買区分「１」とユーザＩＤ「Ｕ００１」に対応付けされている注文ＩＤであって状況フラグが「０」以外の注文ＩＤ「Ａ０００１」，「Ａ００１１」を検出する構成にして顧客の端末装置２０から受取直後の親注文の注文ＩＤ「Ａ００１４」を検出しないようにしてもよい。
次に、ステップＳ３３０において、注文受付手段１８０の検出手段１８１は、検出された注文ＩＤの注文に対応する子注文内容情報（発注順位が１つだけ下位の注文の注文内容情報）等を連続注文の子注文の候補として注文格納手段１０２から抽出し、図７に示す例において、注文格納手段１０２から、注文ＩＤ「Ａ０００１」に対応付けされている発注順序情報「１」を検出し、当該発注順序情報「１」が示す発注順序に次ぐ順序を示す発注順序情報「２」と親子情報「Ａ０００１」に対応付けされている子注文ＩＤ「Ａ０００２」を抽出し、抽出した子注文ＩＤ「Ａ０００２」に対応付けられた子注文内容情報（銘柄コード「Ｘ００２」、売買区分「１」、注文数量「５００」、注文値段「１５０」等）を抽出する。同様に、検出手段１８１は、注文格納手段１０２から、注文ＩＤ「Ａ００１１」に対応付けされている発注順序情報「１」を検出し、当該発注順序情報「１」が示す発注順序に次ぐ順序を示す発注順序情報「２」と親子情報「Ａ００１１」に対応付けされている子注文ＩＤ「Ａ００１２」を抽出し、抽出した子注文ＩＤ「Ａ００１２」に対応付けられた子注文内容情報（銘柄コード「Ｘ００３」、売買区分「２」、注文数量「１０００」、注文値段「１１００」等）を抽出し、検出手段１８１は、注文ＩＤ「Ａ０００２」と当該注文ＩＤ「Ａ０００２」の子注文内容情報（銘柄コード「Ｘ００２」、売買区分「１」、注文数量「５００」、注文値段「１５０」等）と一致を示す判定フラグとユーザＩＤ「Ｕ００１」を対応付けて検出用記憶手段に記憶するとともに注文ＩＤ「Ａ００１２」と当該注文ＩＤ「Ａ００１２」の子注文内容情報（銘柄コード「Ｘ００３」、売買区分「２」、注文数量「１０００」、注文値段「１１００」等）と一致を示す判定フラグとユーザＩＤ「Ｕ００１」を対応付けて検出用記憶手段に記憶するようにしてもよい。
【００４５】
そして、検出手段１８１は、検出用記憶手段に記憶された各子注文内容情報について、当該子注文内容情報に含まれる注文銘柄が上場廃止銘柄格納手段１０４に格納されている上場廃止銘柄と一致するか否かを判定する。具体的には、検出手段１８１は、検出用記憶手段に記憶されている注文ＩＤ「Ａ０００２」の注文内容情報（銘柄コード「Ｘ００２」、売買区分「１」、注文数量「５００」、注文値段「１５０」等）に含まれる注文銘柄の銘柄コード「Ｘ００２」と上場廃止銘柄格納手段１０４に格納されている上場廃止銘柄の銘柄コード「Ｘ００４」とが一致するか否か判定し、その結果、一致しないものと判定して当該注文ＩＤ「Ａ０００２」に対応付けされた判定フラグを不一致を示すフラグにセットする。また、注文ＩＤ「Ａ００１２」の注文内容情報（銘柄コード「Ｘ００３」、売買区分「２」、注文数量「１０００」、注文値段「１１００」等）に含まれる注文銘柄の銘柄コード「Ｘ００３」と上場廃止銘柄格納手段１０４に格納されている上場廃止銘柄の銘柄コード「Ｘ００４」とが一致するか否か判定し、その結果、一致しないものと判定して当該注文ＩＤ「Ａ００１２」に対応付けされた判定フラグを不一致を示すフラグにセットする。これにより、検出用記憶手段に記憶した注文内容情報のうち上場廃止銘柄格納手段１０４に格納されている上場廃止銘柄に一致しない銘柄を注文銘柄とする注文内容情報を検出し、上場廃止銘柄に係る注文内容情報を連続注文の子注文の候補から除外する（ステップＳ３５０）。
【００４６】
次に、受取手段１８２は、画面情報格納手段１７０から第２の注文入力画面のウェブページを取得し、検出手段１８１が顧客の端末装置２０から受け取って親注文受付用記憶手段に記憶された親注文内容情報が親注文の注文内容情報の入力領域２００の注文入力欄に入力されているとともに、上場廃止銘柄と注文銘柄との不一致を示す判定フラグに対応付けて検出用記憶手段に記憶された子注文内容情報が子注文の注文内容情報の入力領域２０２，２０４に入力された第２の注文入力画面のウェブページを当該親注文の注文ＩＤ「Ａ００１４」及び顧客のユーザＩＤ「Ｕ００１」とともに顧客の端末装置２０に送信する（ステップＳ３６０）。具体的には、親注文の注文内容情報の入力領域２００の注文入力欄において、検出手段１８１が顧客の端末装置２０から受け取って親注文受付用記憶手段にユーザＩＤ「Ｕ００１」に対応付けて記憶した親注文内容情報の銘柄コード「Ｘ００１」が銘柄コード用入力欄に入力され、親注文内容情報の売買区分「１」が売買区分用入力欄に入力され、親注文内容情報の注文数量「５０００」が注文数量用入力欄に入力され、親注文内容情報の注文値段「７５０」が注文値段用入力欄に入力されるとともに、親注文内容情報の銘柄コード「Ｘ００１」に対して銘柄テーブルで対応付けされた銘柄名「○○」が銘柄名用入力欄に入力され、入力領域２００の注文選択欄に「レ」印が入力される。なお、注文受付手段１８０は銘柄コードと銘柄名を対応付けて格納する銘柄テーブルを備えており、この銘柄テーブルでは「Ｘ００１」と銘柄名「○○」が対応付けて格納されており、銘柄コード「Ｘ００２」と銘柄名「△△」が対応付けて格納されており、銘柄コード「Ｘ００３」と銘柄名「□□」が対応付けて格納されており、銘柄コード「Ｘ００４」と銘柄名「××」が対応付けて格納されており、検出手段１８１及び受取手段１８２は銘柄テーブルにアクセスして銘柄コードに対応付けされた銘柄名を銘柄テーブルから取得できるようになっている。
また、子注文の注文内容情報の入力領域２０２の注文入力欄において、検出手段１８１により不一致の判定フラグとユーザＩＤ「Ｕ００１」に対応付けて検出用記憶手段に記憶された子注文内容情報の銘柄コード「Ｘ００３」が銘柄コード用入力欄に入力され、子注文内容情報の売買区分「２」が売買区分用入力欄に入力され、子注文内容情報の注文数量「１０００」が注文数量用入力欄に入力され、子注文内容情報の注文値段「１１００」が注文値段用入力欄に入力されるとともに、子注文内容情報の銘柄コード「Ｘ００３」に対して銘柄テーブルで対応付けされた銘柄名「□□」が銘柄名用入力欄に入力される。
また、子注文の注文内容情報の入力領域２０４の注文入力欄において、検出手段１８１により不一致の判定フラグとユーザＩＤ「Ｕ００１」に対応付けて検出用記憶手段に記憶された子注文内容情報の銘柄コード「Ｘ００２」が銘柄コード用入力欄に入力され、子注文内容情報の売買区分「１」が売買区分用入力欄に入力され、子注文内容情報の注文数量「５００」が注文数量用入力欄に入力され、子注文内容情報の注文値段「１５０」が注文値段用入力欄に入力されるとともに、子注文内容情報の銘柄コード「Ｘ００２」に対して銘柄テーブルで対応付けされた銘柄名「△△」が銘柄名用入力欄に入力される。
【００４７】
顧客の端末装置２０は、注文受付手段１８０からステップＳ３６０で送信された親注文内容情報及び連続注文の子注文の候補の子注文内容情報等が入力された第２の注文入力画面のウェブページを親注文の注文ＩＤ及びユーザＩＤとともに受信し、受信した第２の注文入力画面のウェブページを表示する（ステップＳ１３０）。
図８に示す第２の注文入力画面の表示例において、顧客の端末装置２０は、親注文の注文内容情報として、入力領域２００の銘柄用入力欄に銘柄コード「Ｘ００１」及び銘柄名「○○」を表示し、売買区分用入力欄に売買区分「１」に基づいて「買付」を表示し、注文数量用入力欄に注文数量「５０００」を表示し、注文値段用入力欄に注文値段「７５０」を表示する。この第２の注文入力画面の入力領域２００に配された一連の入力欄には網掛け表示がなされており、この網掛け表示は親注文の注文内容の変更を受け付けない旨を顧客に知らせるための表示である。入力領域２００で「レ」印のチェックマークが表示された注文選択欄についても網掛け表示を行ってもよい。
また、顧客の端末装置２０は、第１の子注文の候補として、入力領域２０２の銘柄用入力欄に銘柄コード「Ｘ００３」及び銘柄名「□□」を表示し、売買区分用入力欄に売買区分「２」に基づいて「売付」を表示し、注文数量用入力欄に注文数量「１０００」を表示し、注文値段用入力欄に注文値段「１１００」を表示する。同様に、顧客の端末装置２０は、第２の子注文の候補として、入力領域２０４の銘柄用入力欄に銘柄コード「Ｘ００２」及び銘柄名「△△」を表示し、売買区分用入力欄に売買区分「１」に基づいて「買付」を表示し、注文数量用入力欄に注文数量「５００」を表示し、注文値段用入力欄に注文値段「１５０」を表示する。
なお、図８の第２の注文入力画面の入力領域２０２の注文選択欄に「レ」印が表示されているが、本ステップＳ１３０において顧客の端末装置２０は、入力領域２０２の注文選択欄に「レ」印を表示しない。顧客の端末装置２０に表示された第２の注文入力画面の入力領域２０２，２０４の注文選択欄は、顧客が子注文の注文内容情報として送信すべきものと判断した子注文の注文内容情報の入力領域の注文選択欄に対して、顧客によりチェックマークが入力されるものとする。
【００４８】
顧客の端末装置２０は、連続注文の子注文の候補として表示された子注文の注文内容情報の中から子注文の選択を子注文の入力領域２０２，２０４の注文選択欄を通じて受け付ける（ステップＳ１４０）。具体的には、顧客の端末装置２０は、顧客が第２の注文入力画面の子注文の注文選択欄に「レ」印のチェックマークをマウス等のポインティングデバイスを操作して入力することにより、連続注文の子注文の候補から注文すべき子注文の選択を受け付ける。図８に示す第２の注文入力画面の表示例では、子注文の入力領域２０２の注文選択欄に「レ」印が入力されており、顧客の端末装置２０は、入力領域２０２に表示された第１の子注文の選択を受け付ける。なお、顧客の端末装置２０に表示された第２の注文入力画面において子注文の入力領域２０２，２０４の入力欄に入力されて表示された注文内容情報を顧客が端末装置２０から修正することができるようになっている。
【００４９】
次に、顧客の端末装置２０は、顧客が第２の注文入力画面のウェブページで選択した子注文の注文内容情報をサーバ１０の注文受付手段１８０に送信する（ステップＳ１５０）。図８に示す第２の注文入力画面の表示例において、顧客の端末装置２０は、顧客が送信ボタンをクリック操作することにより、子注文の入力領域２０２，２０４のうち注文選択欄に「レ」印が入力されている入力領域２０２に入力されて表示された第１の子注文の注文内容情報を送信する。送信される子注文内容情報は、入力領域２０２の銘柄コード用入力欄に入力された銘柄コード「Ｘ００３」、売買区分用入力欄に入力された売買区分「売付」を示す売買区分「２」、注文数量用入力欄に入力された注文数量「１０００」、注文値段用入力欄に入力された注文値段「１１００」を含み、これら注文内容情報に加えて子注文の階層「２」からなる子注文を示す情報、親注文の注文ＩＤ「Ａ００１４」及び顧客のユーザＩＤ「Ｕ００１」等も送信される。
【００５０】
注文受付手段１８０の受取手段１８２は、子注文の注文内容情報を入力するための第２の注文入力画面のウェブページを表示した顧客の端末装置２０から子注文の注文内容情報と子注文の階層「２」と顧客のユーザＩＤと親注文の注文ＩＤ等を受信して当該子注文の注文内容情報等の受信日時とともに子注文受付用記憶手段に記憶し、当該子注文を識別するための子注文ＩＤを採番する。そして、注文受付手段１８０の受取手段１８２は、子注文受付用記憶手段に記憶された子注文の注文内容情報等を注文格納手段１０２に格納する（ステップＳ３７０）。具体的には、図９に示すように、注文受付手段１８０の受取手段１８２は、子注文受付用記憶手段に記憶された顧客のユーザＩＤ「Ｕ００１」をユーザＩＤフィールドに格納し、採番した子注文ＩＤ「Ａ００１５」を注文ＩＤフィールドに格納し、子注文受付用記憶手段に記憶された子注文内容情報の受信日時「２００６年４月１７日１３：０５」を注文受付日時フィールドに格納し、子注文受付用記憶手段に記憶された子注文の階層「２」及び親注文ＩＤ「Ａ００１４」に基づいて親子情報「Ａ００１４」を親子情報フィールドに格納するとともに発注順序情報「２」を発注順序情報フィールドに格納し、当該子注文が未発注の状況であることを示す状況フラグ「９」を状況ＦＬＧフィールドに格納し、子注文受付用記憶手段に記憶された子注文の注文内容情報に含まれる注文銘柄の銘柄コード「Ｘ００３」を銘柄コードフィールドに格納し、子注文受付用記憶手段に記憶された子注文の注文内容情報に含まれる売買区分「２」を売買区分フィールドに格納し、子注文受付用記憶手段に記憶された子注文の注文内容情報に含まれる注文数量「１０００」を注文数量フィールドに格納し、子注文受付用記憶手段に記憶された子注文の注文内容情報に含まれる注文値段「１１００」を注文値段フィールドに格納する。
【００５１】
次に、受取手段１８２は、画面情報格納手段１７０から第１の注文確認画面のウェブページを取得し、受取手段１８２が顧客の端末装置２０から受け取って子注文受付用記憶手段にユーザＩＤ「Ｕ００１」に対応付けて記憶された子注文内容情報が階層「２」に対応する子注文の欄に入力されているとともに、子注文受付用記憶手段に記憶された親注文ＩＤに対して注文格納手段１０２で対応付けて格納された親注文内容情報が階層「１」に対応する親注文の欄に入力された第１の注文確認画面のウェブページを当該親注文ＩＤ及び顧客のユーザＩＤとともに顧客の端末装置２０に送信する（ステップＳ３８０）。例えば受取手段１８２は、受取手段１８２が顧客の端末装置２０から受け取って子注文受付用記憶手段にユーザＩＤ「Ｕ００１」に対応付けて記憶された子注文内容情報（銘柄コード「Ｘ００３」、売買区分「２」、注文数量「１０００」、注文値段「１１００」等）が階層「２」に対応する子注文の欄に入力されているとともに、子注文受付用記憶手段にユーザＩＤ「Ｕ００１」に対応付けて記憶された親注文ＩＤ「Ａ００１４」に対して注文格納手段１０２で対応付けて格納された親注文内容情報（銘柄コード「Ｘ００１」、売買区分「１」、注文数量「５０００」、注文値段「７５０」等）が階層「１」に対応する親注文の欄に入力された第１の注文確認画面のウェブページを当該親注文ＩＤ「Ａ００１４」及び顧客のユーザＩＤ「Ｕ００１」とともに顧客の端末装置２０に送信する。
具体的には、注文格納手段１０２で親注文ＩＤ「Ａ００１４」に対応付けされた親注文内容情報等を表示するため、第１の注文確認画面の階層用表示欄のうち親注文の階層「１」の表示欄に「→」を入力し、この親注文の階層の注文内容表示欄において状況用表示欄に「未発注」の文字を入力し、銘柄用表示欄に親注文ＩＤ「Ｘ００１」と当該親注文ＩＤに対して銘柄テーブルで対応付けされた銘柄名「○○」を入力し、売買区分用表示欄に親注文の売買区分「１」に対応する「買付」の文字を入力し、注文数量用表示欄に親注文の注文数量「５０００」を入力し、注文値段用表示欄に親注文の注文値段「７５０」を入力する。また、子注文受付用記憶手段に記憶された子注文内容情報等を表示するため、第１の注文確認画面の階層用表示欄のうち子注文の階層「２」の表示欄に「→」を入力し、この子注文の階層の注文内容表示欄において状況用表示欄に「予約」の文字を入力し、銘柄用表示欄に子注文ＩＤ「Ｘ００３」と当該子注文ＩＤに対して銘柄テーブルで対応付けされた銘柄名「□□」を入力し、売買区分用表示欄に子注文の売買区分「２」を入力し、注文数量用表示欄に子注文の注文数量「１０００」を入力し、注文値段用表示欄に子注文の注文値段「１１００」を入力する。
【００５２】
顧客の端末装置２０は、サーバ１０の注文受付手段１８０から送信された第１の注文確認画面のウェブページと親注文ＩＤとユーザＩＤを受信して第１の注文確認画面のウェブページを表示する（ステップＳ１６０）。具体的には、図１０に示す第１の注文確認画面の表示例に示すように、顧客の端末装置２０は、ユーザＩＤ用表示欄にユーザＩＤ「Ｕ００１」を表示するとともに、確認ボタンを表示する。また、顧客の端末装置２０は、第１の注文確認画面の階層用表示欄のうち親注文の階層「１」の表示欄に「→」を表示し、この親注文の階層の注文内容表示欄において状況用表示欄に「未発注」の文字を表示し、銘柄用表示欄に親注文ＩＤ「Ｘ００１」と銘柄名「○○」を表示し、売買区分用表示欄に親注文の売買区分「１」に対応する「買付」の文字を表示し、注文数量用表示欄に親注文の注文数量「５０００」を表示し、注文値段用表示欄に親注文の注文値段「７５０」を表示する。また、注文確認画面の階層用表示欄のうち子注文の階層「２」の表示欄に「→」を表示し、この子注文の階層の注文内容表示欄において状況用表示欄に「予約」の文字を表示し、銘柄用表示欄に子注文ＩＤ「Ｘ００３」と銘柄名「□□」を表示し、売買区分用表示欄に子注文の売買区分「２」に対応する「売付」の文字を表示し、注文数量用表示欄に子注文の注文数量「１０００」を表示し、注文値段用表示欄に子注文の注文値段「１１００」を表示する。
【００５３】
顧客の端末装置２０は、親注文ＩＤ「Ａ００１４」及びユーザＩＤ「Ｕ００１」とともに受信した第１の注文確認画面のウェブページを表示して第１の注文確認画面の確認ボタンがクリック操作されると、親注文ＩＤ「Ａ００１４」とユーザＩＤ「Ｕ００１」と注文内容を確認した旨を示す確認済情報をサーバ１０の注文受付手段１８０に送信する。注文受付手段１８０は、顧客の端末装置２０から送信された親注文ＩＤ「Ａ００１４」とユーザＩＤ「Ｕ００１」と確認済情報を受信すると、受信した親注文ＩＤ「Ａ００１４」とユーザＩＤ「Ｕ００１」を発注手段１１０に送る。
発注手段１１０は、注文受付手段１８０から親注文ＩＤ「Ａ００１４」とユーザＩＤ「Ｕ００１」を受け取ると、親注文ＩＤ「Ａ００１４」に対応付けて注文格納手段１０２に格納された未発注状態の親注文内容情報（銘柄コード「Ｘ００１」、売買区分「１」、注文数量「５０００」、注文値段「７５０」等）を取得し、親注文ＩＤ「Ａ００１４」及び親注文内容情報（銘柄コード「Ｘ００１」、売買区分「１」に対応する「買付」の売買区分を示す情報、注文数量「５０００」、注文値段「７５０」等）を含む注文入力電文を証券取引所のコンピュータ３０に送信することにより、親注文の発注処理を行い、当該親注文ＩＤ「Ａ００１４」に対応付けて注文格納手段１０２に格納されている状況フラグを「未発注」の状況を示すフラグ「０」から「注文中」の状況を示すフラグ「４」に更新する処理を行う。
【００５４】
約定成立通知受信手段１２０は、親注文ＩＤ「Ａ００１４」及び親注文内容情報（銘柄コード「Ｘ００１」、売買区分「１」に対応する「買付」の売買区分を示す情報、注文数量「５０００」、注文値段「７５０」等）を含む注文入力電文が発注手段１１０から送信されることにより発注処理が行われた親注文についての約定が成立したことを示す約定成立通知であって当該親注文の注文ＩＤ「Ａ００１４」を含む約定成立通知を証券取引所のコンピュータ３０から受信すると、当該約定成立通知に含まれる注文ＩＤ「Ａ００１４」に対応付けて注文格納手段１０２に格納されている状況フラグを「注文中」を示すフラグ「４」から「約定成立」を示すフラグ「３」に更新する処理を行い、当該注文ＩＤ「Ａ００１４」を関連発注手段１３０に送る。
関連発注手段１３０は、約定成立通知受信手段１２０からの注文ＩＤ「Ａ００１４」に対して注文格納手段１０２で対応付けて格納されている親子情報及び発注順序情報から親注文を示す情報及び親注文の発注順序を示す発注順序情報「１」を検出し、当該発注順序情報「１」が示す発注順序１に次ぐ順序２を示す発注順序情報「２」と当該注文ＩＤ「Ａ００１４」からなる親子情報に対応付けて注文格納手段１０２に格納されている子注文ＩＤ「Ａ００１５」及び子注文内容情報（銘柄コード「Ｘ００３」、売買区分「２」に対応する「売付」の売買区分を示す情報、注文数量「１０００」、注文値段「１１００」等）を含む注文入力電文を証券取引所のコンピュータ３０に送信することにより子注文の発注処理を行い、当該子注文ＩＤ「Ａ００１５」に対応付けて注文格納手段１０２に格納されている状況フラグを「未発注（予約）」の状況を示すフラグ「９」から「注文中（連続中）」の状況を示すフラグ「２」に更新する処理を行う。
【００５５】
約定成立通知受信手段１２０は、子注文ＩＤ「Ａ００１５」及び親注文内容情報（銘柄コード「Ｘ００３」、売買区分「２」に対応する「売付」の売買区分を示す情報、注文数量「１０００」、注文値段「１１００」等）を含む注文入力電文が発注手段１１０から送信されることにより発注処理が行われた子注文についての約定が成立したことを示す約定成立通知であって当該子注文の注文ＩＤ「Ａ００１５」を含む約定成立通知を証券取引所のコンピュータ３０から受信すると、当該約定成立通知に含まれる注文ＩＤ「Ａ００１５」に対応付けて注文格納手段１０２に格納されている状況フラグを「注文中（連続中）」を示すフラグ「２」から「約定成立」を示すフラグ「３」に更新する処理を行い、当該注文ＩＤ「Ａ００１５」を関連発注手段１３０に送る。
関連発注手段１３０は、約定成立通知受信手段１２０からの注文ＩＤ「Ａ００１５」に対して注文格納手段１０２で対応付けて格納されている親子情報及び発注順序情報から単一注文及び親注文ではないことを示す情報並びに子注文の発注順序を示す発注順序情報「２」を検出することで、連続注文の子注文が発注されて約定成立したことを認識し、関連発注手段１３０での連続注文の処理を終了する。
【００５６】
なお、ステップＳ３３０において、注文受付手段１８０の検出手段１８１は、検出された親注文ＩＤの親注文に対応する子注文内容情報等を連続注文の子注文の候補として注文格納手段１０２から抽出する場合に、図７に示す例において、注文格納手段１０２から、発注順序情報「２」と親子情報「Ａ０００１」に対応付けされている子注文ＩＤ「Ａ０００２」を抽出し、当該子注文ＩＤ「Ａ０００２」に対応付けられた注文受付日時「２００６年４月３日０９：４３」及び子注文内容情報（銘柄コード「Ｘ００２」、売買区分「１」、注文数量「５００」、注文値段「１５０」等）を抽出するとともに、発注順序情報「２」と親子情報「Ａ００１１」に対応付けされている子注文ＩＤ「Ａ００１２」を抽出し、当該子注文ＩＤ「Ａ００１２」に対応付けられた注文受付日時「２００６年４月１０日１４：０３」及び子注文内容情報（銘柄コード「Ｘ００３」、売買区分「２」、注文数量「１０００」、注文値段「１１００」等）を抽出する構成としてもよい。そして検出手段１８１は、子注文ＩＤ「Ａ０００２」と当該注文ＩＤ「Ａ０００２」の注文受付日時と子注文内容情報（銘柄コード「Ｘ００２」、売買区分「１」、注文数量「５００」、注文値段「１５０」等）と一致を示す判定フラグとユーザＩＤ「Ｕ００１」を対応付けて検出用記憶手段に記憶するとともに、子注文ＩＤ「Ａ００１２」と当該子注文ＩＤ「Ａ００１２」の注文受付日時と子注文内容情報（銘柄コード「Ｘ００３」、売買区分「２」、注文数量「１０００」、注文値段「１１００」等）と一致を示す判定フラグとユーザＩＤ「Ｕ００１」を対応付けて検出用記憶手段に記憶する構成としてもよい。例えば検出手段１８１の検出用記憶手段には、注文ＩＤと当該注文ＩＤの注文受付日時及び注文内容情報と判定フラグとユーザＩＤを記憶するための記憶領域がレコード毎に設けられ、同一レコードに記憶される注文ＩＤと注文受付日時と注文内容情報と判定フラグとユーザＩＤが互いに対応付けされるようにしてもよい。
そして、検出手段１８１は、検出用記憶手段に記憶された各子注文内容情報について、当該子注文内容情報に含まれる注文銘柄が上場廃止銘柄格納手段１０４に格納されている上場廃止銘柄と一致するか否かを判定し、具体的には、検出用記憶手段に記憶されている注文ＩＤ「Ａ０００２」の注文内容情報（銘柄コード「Ｘ００２」、売買区分「１」、注文数量「５００」、注文値段「１５０」等）に含まれる注文銘柄の銘柄コード「Ｘ００２」と上場廃止銘柄格納手段１０４に格納されている上場廃止銘柄の銘柄コード「Ｘ００４」とが一致するか否か判定し、その結果、一致しないものと判定して当該注文ＩＤ「Ａ０００２」に対応付けされた判定フラグを不一致を示すフラグにセットし、また、注文ＩＤ「Ａ００１２」の注文内容情報（銘柄コード「Ｘ００３」、売買区分「２」、注文数量「１０００」、注文値段「１１００」等）に含まれる注文銘柄の銘柄コード「Ｘ００３」と上場廃止銘柄格納手段１０４に格納されている上場廃止銘柄の銘柄コード「Ｘ００４」とが一致するか否か判定し、その結果、一致しないものと判定して当該注文ＩＤ「Ａ００１２」に対応付けされた判定フラグを不一致を示すフラグにセットする。これにより、検出用記憶手段に記憶した注文内容情報のうち上場廃止銘柄格納手段１０４に格納されている上場廃止銘柄に一致しない銘柄を注文銘柄とする注文内容情報を検出し、上場廃止銘柄に係る注文内容情報を連続注文の子注文の候補から除外する（ステップＳ３５０）。
次に、受取手段１８２は、画面情報格納手段１７０から第２の注文入力画面のウェブページを取得し、検出手段１８１が顧客の端末装置２０から受け取って親注文受付用記憶手段に記憶された親注文内容情報が親注文の注文内容情報の入力領域２００の注文入力欄に入力されているとともに、上場廃止銘柄と注文銘柄との不一致を示す判定フラグに対応付けて検出用記憶手段に記憶された子注文内容情報のうち最新の注文受付日時に対応付けされた子注文内容情報が子注文の注文内容情報の入力領域２０２に入力された第２の注文入力画面のウェブページを当該親注文の注文ＩＤ「Ａ００１４」及び顧客のユーザＩＤ「Ｕ００１」とともに顧客の端末装置２０に送信する構成としてもよい（ステップＳ３６０）。具体的には、親注文の注文内容情報の入力領域２００の注文入力欄において、検出手段１８１が顧客の端末装置２０から受け取って親注文受付用記憶手段にユーザＩＤ「Ｕ００１」に対応付けて記憶した親注文内容情報の銘柄コード「Ｘ００１」が銘柄コード用入力欄に入力され、親注文内容情報の売買区分「１」が売買区分用入力欄に入力され、親注文内容情報の注文数量「５０００」が注文数量用入力欄に入力され、親注文内容情報の注文値段「７５０」が注文値段用入力欄に入力されるとともに、親注文内容情報の銘柄コード「Ｘ００１」に対して銘柄テーブルで対応付けされた銘柄名「○○」が銘柄名用入力欄に入力され、入力領域２００の注文選択欄に「レ」印が入力される。
また、子注文の注文内容情報の入力領域２０２の注文入力欄において、検出手段１８１により不一致の判定フラグとユーザＩＤ「Ｕ００１」に対応付けて検出用記憶手段に記憶された子注文内容情報のうち最新の注文受付日時「２００６年４月１０日１４：０３」に対応付けされた銘柄コード「Ｘ００３」が銘柄コード用入力欄に入力され、子注文内容情報の売買区分「２」が売買区分用入力欄に入力され、子注文内容情報の注文数量「１０００」が注文数量用入力欄に入力され、子注文内容情報の注文値段「１１００」が注文値段用入力欄に入力されるとともに、子注文内容情報の銘柄コード「Ｘ００３」に対して銘柄テーブルで対応付けされた銘柄名「□□」が銘柄名用入力欄に入力される。これにより、顧客が同じ売買パターンの連続注文を繰り返し行っている場合に同一銘柄及び同一売買区分の注文内容情報が子注文の候補として第２の注文入力画面に複数表示されることを防ぐことができる。第２の注文入力画面の入力領域２０２の注文入力欄のうち、検出手段１８１により不一致の判定フラグとユーザＩＤ「Ｕ００１」に対応付けて検出用記憶手段に記憶された子注文内容情報のうち最新の注文受付日時「２００６年４月１０日１４：０３」に対応付けされた銘柄コード「Ｘ００３」が銘柄コード用入力欄に入力され、子注文内容情報の売買区分「２」が売買区分用入力欄に入力されるとともに、子注文内容情報の銘柄コード「Ｘ００３」に対して銘柄テーブルで対応付けされた銘柄名「□□」が銘柄名用入力欄に入力される構成としてもよい。
【００５７】
顧客が端末装置２０に表示された初期画面のウェブページのユーザＩＤ用入力欄にユーザＩＤ「Ｕ００１」を入力するとともに連続注文ではない単一注文の注文入力画面の表示選択欄を選択する入力を行って送信ボタンをクリック操作することで初期画面の入力情報をサーバ１０に送信し、サーバ１０の注文受付手段１８０が顧客のユーザＩＤ「Ｕ００１」と単一注文の注文入力画面の表示選択欄の選択による第３の注文入力画面の送信要求情報を受信すると、注文受付手段１８０は、画面情報格納手段１７０から第３の注文入力画面のウェブページを取得する。そして注文受付手段１８０は、取得した第３の注文入力画面のウェブページであってユーザＩＤ用表示欄に「Ｕ００１」が入力されたウェブページを、ネットワーク４０を通じて顧客の端末装置２０に送信する。顧客の端末装置２０は、注文受付手段１８０から第３の注文入力画面のウェブページを受信し、受信した第３の注文入力画面のウェブページを表示する。
顧客の端末装置２０は、表示した第３の注文入力画面の各入力欄を用いて、単一注文の注文内容情報の入力を受け付け、顧客が送信ボタンをクリック操作することにより、入力欄に入力された単一注文の注文内容情報を単一注文を示す情報及びユーザＩＤ「Ｕ００１」とともにサーバ１０の注文受付手段１８０に送信する。
注文受付手段１８０は、単一注文の注文内容情報を入力するための第３の注文入力画面のウェブページを表示した顧客の端末装置２０から単一注文の注文内容情報と単一注文を示す情報と顧客のユーザＩＤ等を受信して当該単一注文の注文内容情報等の受信日時とともに単一注文受付用記憶手段に記憶し、当該単一注文を識別するための注文ＩＤを採番する。そして、注文受付手段１８０は、単一注文受付用記憶手段に記憶された単一注文の注文内容情報等を注文格納手段１０２に格納する。具体的には、注文受付手段１８０は、単一注文受付用記憶手段に記憶された顧客のユーザＩＤ「Ｕ００１」をユーザＩＤフィールドに格納し、採番した単一注文の注文ＩＤを注文ＩＤフィールドに格納し、単一注文受付用記憶手段に記憶された単一注文の注文内容情報の受信日時を注文受付日時フィールドに格納し、単一注文受付用記憶手段に記憶された単一注文を示す情報に基づいて単一注文を示す親子情報を親子情報フィールドに格納し、当該単一注文が未発注の状況であることを示す状況フラグ「０」を状況ＦＬＧフィールドに格納し、単一注文受付用記憶手段に記憶された当該単一注文の注文内容情報に含まれる銘柄コードを銘柄コードフィールドに格納し、当該単一注文受付用記憶手段に記憶された単一注文の注文内容情報に含まれる売買区分を売買区分フィールドに格納し、単一注文受付用記憶手段に記憶された当該単一注文の注文内容情報に含まれる注文数量を注文数量フィールドに格納し、単一注文受付用記憶手段に記憶された当該単一注文の注文内容情報に含まれる注文値段を注文値段フィールドに格納する。
次に、注文受付手段１８０は、画面情報格納手段１７０から第２の注文確認画面のウェブページを取得し、注文受付手段１８０が顧客の端末装置２０から受け取って単一注文受付用記憶手段にユーザＩＤ「Ｕ００１」に対応付けて記憶された単一注文の注文内容情報が表示欄に入力された第２の注文確認画面のウェブページを当該単一注文の注文ＩＤ及び顧客のユーザＩＤ「Ｕ００１」とともに顧客の端末装置２０に送信する。
顧客の端末装置２０は、サーバ１０の注文受付手段１８０から送信された第２の注文確認画面のウェブページと単一注文の注文ＩＤとユーザＩＤ「Ｕ００１」を受信して第２の注文確認画面のウェブページを表示して第２の注文確認画面の確認ボタンが顧客によりクリック操作されると、単一注文の注文ＩＤとユーザＩＤ「Ｕ００１」と注文内容を確認した旨を示す確認済情報をサーバ１０の注文受付手段１８０に送信する。注文受付手段１８０は、顧客の端末装置２０から送信された単一注文の注文ＩＤとユーザＩＤ「Ｕ００１」と確認済情報を受信すると、受信した単一注文の注文ＩＤとユーザＩＤ「Ｕ００１」を発注手段１１０に送る。
発注手段１１０は、注文受付手段１８０から単一注文の注文ＩＤとユーザＩＤ「Ｕ００１」を受け取ると、当該注文ＩＤに対応付けて注文格納手段１０２に格納された未発注状態の単一注文の注文内容情報を取得し、当該単一注文の注文ＩＤ及び注文内容情報を含む注文入力電文を証券取引所のコンピュータ３０に送信することにより、単一注文の発注処理を行い、当該単一注文の注文ＩＤに対応付けて注文格納手段１０２に格納されている状況フラグを「未発注」の状況を示すフラグ「０」から「注文中」の状況を示すフラグ「４」に更新する処理を行う。
約定成立通知受信手段１２０は、単一注文の注文ＩＤ及び注文内容情報を含む注文入力電文が発注手段１１０から送信されることにより発注処理が行われた単一注文についての約定が成立したことを示す約定成立通知であって当該単一注文の注文ＩＤを含む約定成立通知を証券取引所のコンピュータ３０から受信すると、当該約定成立通知に含まれる注文ＩＤに対応付けて注文格納手段１０２に格納されている状況フラグを「注文中」を示すフラグ「４」から「約定成立」を示すフラグ「３」に更新する処理を行い、当該注文ＩＤを関連発注手段１３０に送る。
関連発注手段１３０は、約定成立通知受信手段１２０からの単一注文の注文ＩＤに対して注文格納手段１０２で対応付けて格納されている親子情報及び発注順序情報のうち親子情報から単一注文を示す情報を検出することで、連続注文ではない単一注文が発注されて約定したことを認識し、関連発注手段１３０における単一注文の処理を終了する。
【００５８】
なお、注文受付手段１８０は、顧客のユーザＩＤに対応付けされた親注文受付用記憶手段、子注文受付用記憶手段、単一注文受付用記憶手段及び検出用記憶手段を有することでこれらの記憶手段を顧客毎に備える構成としてもよく、また、第１の注文入力画面のウェブページを顧客の端末装置２０に送信するときに当該顧客のユーザＩＤに対応する親注文受付用記憶手段、子注文受付用記憶手段及び検出用記憶手段を初期化して第１の注文入力画面のウェブページを表示した顧客の端末装置２０からの第１の注文内容情報等を親注文受付用記憶手段に記憶する構成とし、第３の注文入力画面のウェブページを顧客の端末装置２０に送信するときに当該顧客のユーザＩＤに対応する単一注文受付用記憶手段を初期化して第３の注文入力画面のウェブページを表示した顧客の端末装置２０からの単一注文の注文内容情報等を単一注文受付用記憶手段に記憶する構成としてもよい。
【００５９】
上記実施の形態の金融商品売買発注装置によれば、第１の売買注文の約定成立後に発注すべき第２の売買注文を注文者が入力する場合に、顧客が過去に入力した親注文及び子注文の売買パターンを参照して当該売買パターンと同じパターンの子注文の注文内容情報が予め入力された第２の注文入力画面を表示することで同じパターンの子注文を入力する手間を減らすことができ、顧客の端末装置２０で子注文の注文内容情報を入力するための第２の注文入力画面での注文入力時における顧客の利便性を向上することができる。
【００６０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６１】
【図１】サーバ１０を含むシステム概要の一例を示す概要図である。
【図２】サーバ１０のブロック構成の一例を示すブロック図である。
【図３】注文格納手段１０２に格納される注文情報の第１の例を示す説明図である。
【図４】上場廃止銘柄格納手段１０４に格納される銘柄情報の一例を示す説明図である。
【図５】サーバ１０及び顧客の端末装置２０における処理動作の一例を示すフローチャートである。
【図６】顧客の端末装置２０に表示される第１の注文入力画面の例を示す説明図である。
【図７】注文格納手段１０２に格納される注文情報の第２の例を示す説明図である。
【図８】顧客の端末装置２０に表示される第２の注文入力画面の例を示す説明図である。
【図９】注文格納手段１０２に格納される注文情報の第３の例を示す説明図である。
【図１０】顧客の端末装置２０に表示される第１の注文確認画面の例を示す説明図である。
【符号の説明】
【００６２】
１０…サーバ（金融商品売買発注装置）、１１…管理者端末、２０…顧客の端末装置、３０…コンピュータ、４０，４２…ネットワーク、５０…記憶媒体、１００…入力領域、１０２…注文格納手段、１０４…上場廃止銘柄格納手段、１１０…発注手段、１２０…約定成立通知受信手段、１３０…関連発注手段、１７０…画面情報格納手段、１８０…注文受付手段、１８１…検出手段、１８２…受取手段、２００，２０２，２０４…入力領域。
【図１】
2008009965.tif 000003
【図２】
2008009965.tif 000004
【図３】
2008009965.tif 000005
【図４】
2008009965.tif 000006
【図５】
2008009965.tif 000007
【図６】
2008009965.tif 000008
【図７】
2008009965.tif 000009
【図８】
2008009965.tif 000010
【図９】
2008009965.tif 000011
【図１０】
2008009965.tif 000012